(57)【特許請求の範囲】
【請求項１】
光伝送ネットワークにおいてフレキシブルイーサネットサービスを保持するための方法であって、
フレキシブルイーサネットサービスレイヤからフレキシブルイーサネットサービスを抽出する段階であって、フレキシブルイーサネットサービスレイヤからフレキシブルイーサネットサービスを抽出する前記段階は、前記フレキシブルイーサネットサービスレイヤにおける前記フレキシブルイーサネットサービスのタイムスロット分布に従って、前記フレキシブルイーサネットサービスレイヤから前記フレキシブルイーサネットサービスを抽出する段階を含む、段階と、
少なくとも２つのデータキューを取得すべく、前記フレキシブルイーサネットサービスに対してデータ分割を実行する段階であって、各データキューは、キュー識別子を保持する、段階と、
各データキューを光伝送ネットワークコンテナにマッピングする段階であって、前記光伝送ネットワークコンテナは、光チャネルデータユニットｋコンテナ又は光チャネルデータユニットフレキシブルコンテナを含む、段階と、
前記光伝送ネットワークコンテナを光伝送ネットワークに送信する段階と、
を備える方法。
【請求項２】
前記フレキシブルイーサネットサービスレイヤは、ポーリングによって、物理コーディングサブレイヤタイムスロットに分配され、
フレキシブルイーサネットサービスレイヤからフレキシブルイーサネットサービスを抽出する前記段階の前に、前記方法は、
物理コーディングサブレイヤタイムスロットにおけるアライメントマーカキャラクタに従って、前記物理コーディングサブレイヤタイムスロットに対してタイムスロットアライメントを実行する段階と、
前記フレキシブルイーサネットサービスレイヤを取得すべく、前記物理コーディングサブレイヤタイムスロットにおける前記アライメントマーカキャラクタを削除する段階と、
をさらに備える、請求項１に記載の方法。
【請求項３】
前記フレキシブルイーサネットサービスレイヤを取得すべく、前記物理コーディングサブレイヤタイムスロットにおける前記アライメントマーカキャラクタを削除する前記段階は、
前記物理コーディングサブレイヤタイムスロットにおける前記アライメントマーカキャラクタを削除する段階と、
前記物理コーディングサブレイヤタイムスロットによって保持されるサービスレイヤオーバヘッドに従って、そのアライメントマーカキャラクタが削除された前記物理コーディングサブレイヤタイムスロットに対してオーバヘッドアライメントを実行する段階と、
オーバヘッドアライメントによって取得された前記物理コーディングサブレイヤタイムスロットから、前記フレキシブルイーサネットサービスを抽出する段階と、
を含む、請求項２に記載の方法。
【請求項４】
フレキシブルイーサネットサービスレイヤからフレキシブルイーサネットサービスを抽出する前記段階の後で、
平均で２０４６０の６６Ｂコードブロック毎に、アイドルコードブロックを前記フレキシブルイーサネットサービスに挿入する段階
をさらに備える、請求項１から３のいずれか１項に記載の方法。
【請求項５】
少なくとも２つのデータキューを取得すべく、前記フレキシブルイーサネットサービスに対してデータ分割を実行する前記段階の後で、
１６３８３のサービスデータブロック毎に、制御コードを各データキューに挿入する段階であって、前記制御コードは、前記データキューに対するタイムスロットアライメントを実行するよう命令するために用いられる、段階
をさらに備える、請求項１から４のいずれか１項に記載の方法。
【請求項６】
少なくとも２つのデータキューを取得すべく、前記フレキシブルイーサネットサービスに対してデータ分割を実行する前記段階の後で、
タイムスロットデータキューの少なくとも１つのグループを取得すべく、前記少なくとも２つのデータキューに対してタイムスロットのグループ化を実行する段階であって、タイムスロットデータキューの各グループは、少なくとも２つのデータキューを含む、段階と、
データストリームを取得すべく、タイムスロットデータキューの各グループに対してインタリーブを実行する段階と、
をさらに備え、
各データキューを光伝送ネットワークコンテナにマッピングする前記段階は、
インタリーブによって取得された各データストリームを光伝送ネットワークコンテナにマッピングする段階
を含む、請求項１から５のいずれか１項に記載の方法。
【請求項７】
光伝送ネットワークにおいてフレキシブルイーサネットサービスを保持するための方法であって、
フレキシブルイーサネットサービスレイヤからフレキシブルイーサネットサービスを抽出する段階であって、フレキシブルイーサネットサービスレイヤからフレキシブルイーサネットサービスを抽出する前記段階は、前記フレキシブルイーサネットサービスレイヤにおける前記フレキシブルイーサネットサービスのタイムスロット分布に従って、前記フレキシブルイーサネットサービスレイヤから前記フレキシブルイーサネットサービスを抽出する段階を含む、段階と、
物理媒体依存サブレイヤチャネルを少なくとも２つの仮想連結コンテナに分割する段階であって、前記仮想連結コンテナは、光チャネルデータユニットｋ仮想連結コンテナ又は光チャネルデータユニットフレキシブル仮想連結コンテナを含む、段階と、
前記フレキシブルイーサネットサービスを前記少なくとも２つの仮想連結コンテナにマッピングする段階と、
前記少なくとも２つの仮想連結コンテナを組み合わせて光伝送ネットワークコンテナにする段階であって、前記光伝送ネットワークコンテナの数は、前記物理媒体依存サブレイヤチャネルの数と同じである、段階と、
前記光伝送ネットワークコンテナを光伝送ネットワークに送信する段階と、
を備える方法。
【請求項８】
前記フレキシブルイーサネットサービスレイヤは、ポーリングによって、物理コーディングサブレイヤタイムスロットに分配され、
フレキシブルイーサネットサービスレイヤからフレキシブルイーサネットサービスを抽出する前記段階の前に、前記方法は、
物理コーディングサブレイヤタイムスロットにおけるアライメントマーカキャラクタに従って、前記物理コーディングサブレイヤタイムスロットに対してタイムスロットアライメントを実行する段階と、
前記フレキシブルイーサネットサービスレイヤを取得すべく、前記物理コーディングサブレイヤタイムスロットにおける前記アライメントマーカキャラクタを削除する段階と、
をさらに備える、請求項７に記載の方法。
【請求項９】
前記フレキシブルイーサネットサービスレイヤを取得すべく、前記物理コーディングサブレイヤタイムスロットにおける前記アライメントマーカキャラクタを削除する前記段階は、
前記物理コーディングサブレイヤタイムスロットにおける前記アライメントマーカキャラクタを削除する段階と、
前記物理コーディングサブレイヤタイムスロットによって保持されるサービスレイヤオーバヘッドに従って、そのアライメントマーカキャラクタが削除された前記物理コーディングサブレイヤタイムスロットに対してオーバヘッドアライメントを実行する段階と、
オーバヘッドアライメントによって取得された前記物理コーディングサブレイヤタイムスロットから、前記フレキシブルイーサネットサービスを抽出する段階と、
を含む、請求項８に記載の方法。
【請求項１０】
フレキシブルイーサネットサービスレイヤからフレキシブルイーサネットサービスを抽出する前記段階の後で、
平均で２０４６０の６６Ｂコードブロック毎に、アイドルコードブロックを前記フレキシブルイーサネットサービスに挿入する段階
をさらに備える、請求項７から９のいずれか１項に記載の方法。
【請求項１１】
光伝送ネットワークにおいてフレキシブルイーサネットサービスを保持するための方法であって、
光伝送ネットワークから光伝送ネットワークコンテナを取得する段階であって、前記光伝送ネットワークコンテナは、光チャネルデータユニットｋコンテナ又は光チャネルデータユニットフレキシブルコンテナを含む、段階と、
前記光伝送ネットワークコンテナからデータキューを取得する段階であって、各データキューは、キュー識別子を保持する、段階と、
フレキシブルイーサネットサービスを取得すべく、前記キュー識別子に従って、前記データキューに対してデータの組み合わせを実行する段階と、
前記フレキシブルイーサネットサービスをフレキシブルイーサネットサービスレイヤにマッピングする段階と、
フレキシブルイーサネットインタフェースを用いることによって、前記フレキシブルイーサネットサービスレイヤを受信する段階と、
を備え、
前記フレキシブルイーサネットサービスをフレキシブルイーサネットサービスレイヤにマッピングする前記段階は、
前記フレキシブルイーサネットサービスレイヤのサービスレイヤオーバヘッドを取得する段階であって、前記サービスレイヤオーバヘッドは、前記フレキシブルイーサネットサービスを保持する物理コーディングサブレイヤに対するタイムスロット割り当てを実行するよう命令するために用いられる、段階と、
前記サービスレイヤオーバヘッドに従って、ポーリングによって、前記フレキシブルイーサネットサービスを割り当てられた物理コーディングサブレイヤタイムスロットに分配する、段階と、
を含む、方法。
【請求項１２】
前記光伝送ネットワークコンテナからデータキューを取得する前記段階は、
前記光伝送ネットワークコンテナから、インタリーブによって取得されたデータストリームを取得する段階と、
タイムスロットデータキューを取得すべく、インタリーブによって取得された前記データストリームに対してデインタリーブを実行する段階と、
前記タイムスロットデータキューから前記データキューを取得する段階と、
を含む、請求項１１に記載の方法。
【請求項１３】
前記データキューは、制御コードを保持し、
前記光伝送ネットワークコンテナからデータキューを取得する前記段階は、
前記データキューによって保持される前記制御コードに従って、前記データキューに対してタイムスロットアライメントを実行する段階と、
前記データキューを取得すべく、前記データキューにおける前記制御コードを削除する段階と、
を含む、請求項１１又は１２に記載の方法。
【請求項１４】
前記サービスレイヤオーバヘッドに従って、ポーリングによって、前記フレキシブルイーサネットサービスを割り当てられた物理コーディングサブレイヤタイムスロットに分配する前記段階の後で、
少なくとも２つの物理コーディングサブレイヤタイムスロットに対するタイムスロットアライメントを実行すべく、各物理コーディングサブレイヤタイムスロットの規定された位置に、アライメントマーカキャラクタを挿入する段階
をさらに備える、請求項１１から１３のいずれか一項に記載の方法。
【請求項１５】
光伝送ネットワークにおいてフレキシブルイーサネットサービスを保持するための方法であって、
光伝送ネットワークから光伝送ネットワークコンテナを取得する段階であって、前記光伝送ネットワークコンテナは、光チャネルデータユニットｋコンテナ又は光チャネルデータユニットフレキシブルコンテナを含む、段階と、
前記光伝送ネットワークコンテナを少なくとも２つの仮想連結コンテナに分割する段階と、
前記少なくとも２つの仮想連結コンテナからフレキシブルイーサネットサービスを取得する段階と、
前記フレキシブルイーサネットサービスをフレキシブルイーサネットサービスレイヤにマッピングする段階と、
フレキシブルイーサネットインタフェースを用いることによって、前記フレキシブルイーサネットサービスレイヤを受信する段階と、
を備え、
前記フレキシブルイーサネットサービスをフレキシブルイーサネットサービスレイヤにマッピングする前記段階は、
前記フレキシブルイーサネットサービスレイヤのサービスレイヤオーバヘッドを取得する段階であって、前記サービスレイヤオーバヘッドは、前記フレキシブルイーサネットサービスを保持する物理コーディングサブレイヤに対するタイムスロット割り当てを実行するよう命令するために用いられる、段階と、
前記サービスレイヤオーバヘッドに従って、ポーリングによって、前記フレキシブルイーサネットサービスを割り当てられた物理コーディングサブレイヤタイムスロットに分配する、段階と、
を含む、方法。
【請求項１６】
前記サービスレイヤオーバヘッドに従って、ポーリングによって、前記フレキシブルイーサネットサービスを割り当てられた物理コーディングサブレイヤタイムスロットに分配する前記段階の後で、
少なくとも２つの物理コーディングサブレイヤタイムスロットに対するタイムスロットアライメントを実行すべく、各物理コーディングサブレイヤタイムスロットの規定された位置に、アライメントマーカキャラクタを挿入する段階
をさらに備える、請求項１５に記載の方法。
【請求項１７】
光伝送ネットワークにおいてフレキシブルイーサネットサービスを保持するための装置であって、
フレキシブルイーサネットサービスレイヤからフレキシブルイーサネットサービスを抽出するサービス抽出ユニットであって、前記サービス抽出ユニットは、前記フレキシブルイーサネットサービスレイヤにおける前記フレキシブルイーサネットサービスのタイムスロット分布に従って、前記フレキシブルイーサネットサービスレイヤから前記フレキシブルイーサネットサービスを抽出する、サービス抽出ユニットと、
少なくとも２つのデータキューを取得すべく、前記フレキシブルイーサネットサービスに対してデータ分割を実行するデータ分割ユニットであって、各データキューは、キュー識別子を保持する、データ分割ユニットと、
各データキューを光伝送ネットワークコンテナにマッピングするデータマッピングユニットであって、前記光伝送ネットワークコンテナは、光チャネルデータユニットｋコンテナ又は光チャネルデータユニットフレキシブルコンテナを含む、データマッピングユニットと、
前記光伝送ネットワークコンテナを光伝送ネットワークに送信するコンテナ送信ユニットと、
を備える装置。
【請求項１８】
前記フレキシブルイーサネットサービスレイヤは、ポーリングによって、物理コーディングサブレイヤタイムスロットに分配され、
前記装置は、
前記サービス抽出ユニットが前記フレキシブルイーサネットサービスレイヤから前記フレキシブルイーサネットサービスを抽出する前に、物理コーディングサブレイヤタイムスロットにおけるアライメントマーカキャラクタに従って、前記物理コーディングサブレイヤタイムスロットに対するタイムスロットアライメントを実行するタイムスロットアライメントユニットと、
前記フレキシブルイーサネットサービスレイヤを取得すべく、前記物理コーディングサブレイヤタイムスロットにおける前記アライメントマーカキャラクタを削除するキャラクタ削除ユニットと、
をさらに備える、請求項１７に記載の装置。
【請求項１９】
前記キャラクタ削除ユニットは、具体的には、
前記物理コーディングサブレイヤタイムスロットにおける前記アライメントマーカキャラクタを削除し、
前記物理コーディングサブレイヤタイムスロットによって保持されるサービスレイヤオーバヘッドに従って、そのアライメントマーカキャラクタが削除された前記物理コーディングサブレイヤタイムスロットに対してオーバヘッドアライメントを実行し、
オーバヘッドアライメントによって取得された前記物理コーディングサブレイヤタイムスロットから、前記フレキシブルイーサネットサービスを抽出する、
請求項１８に記載の装置。
【請求項２０】
前記装置は、
前記サービス抽出ユニットが前記フレキシブルイーサネットサービスレイヤから前記フレキシブルイーサネットサービスを抽出した後で、平均で２０４６０の６６Ｂコードブロック毎に、アイドルコードブロックを前記フレキシブルイーサネットサービスに挿入するコードブロック挿入ユニット
をさらに備える、請求項１７から１９のいずれか１項に記載の装置。
【請求項２１】
前記装置は、
前記データ分割ユニットが、前記少なくとも２つのデータキューを取得すべく、前記フレキシブルイーサネットサービスに対してデータ分割を実行した後で、１６３８３のサービスデータブロック毎に、制御コードを各データキューに挿入する制御コード挿入ユニットであって、前記制御コードは、前記データキューに対するタイムスロットアライメントを実行するよう命令するために用いられる、制御コード挿入ユニット
をさらに備える、請求項１７から２０のいずれか１項に記載の装置。
【請求項２２】
前記装置は、
前記データ分割ユニットが、前記少なくとも２つのデータキューを取得すべく、前記フレキシブルイーサネットサービスに対してデータ分割を実行した後で、タイムスロットデータキューの少なくとも１つのグループを取得すべく、前記少なくとも２つのデータキューに対してタイムスロットのグループ化を実行するタイムスロットグループ化ユニットであって、タイムスロットデータキューの各グループは、少なくとも２つのデータキューを含む、タイムスロットグループ化ユニットと、
データストリームを取得すべく、タイムスロットデータキューの各グループに対してインタリーブを実行するインタリーブユニットと、
をさらに備え、
前記データマッピングユニットは、さらに、インタリーブによって取得された各データストリームを光伝送ネットワークコンテナにマッピングする、
請求項１７から２１のいずれか１項に記載の装置。
【請求項２３】
光伝送ネットワークにおいてフレキシブルイーサネットサービスを保持するための装置であって、
フレキシブルイーサネットサービスレイヤからフレキシブルイーサネットサービスを抽出するサービス抽出ユニットであって、前記サービス抽出ユニットは、前記フレキシブルイーサネットサービスレイヤにおける前記フレキシブルイーサネットサービスのタイムスロット分布に従って、前記フレキシブルイーサネットサービスレイヤから前記フレキシブルイーサネットサービスを抽出する、サービス抽出ユニットと、
物理媒体依存サブレイヤチャネルを少なくとも２つの仮想連結コンテナに分割するコンテナ分割ユニットであって、前記仮想連結コンテナは、光チャネルデータユニットｋ仮想連結コンテナ又は光チャネルデータユニットフレキシブル仮想連結コンテナを含む、コンテナ分割ユニットと、
前記フレキシブルイーサネットサービスを前記少なくとも２つの仮想連結コンテナにマッピングするサービスマッピングユニットと、
前記少なくとも２つの仮想連結コンテナを組み合わせて光伝送ネットワークコンテナとするコンテナ組み合わせユニットであって、前記光伝送ネットワークコンテナの数は、前記物理媒体依存サブレイヤチャネルの数と同じである、コンテナ組み合わせユニットと、
前記光伝送ネットワークコンテナを光伝送ネットワークに送信するコンテナ送信ユニットと、
を備える装置。
【発明の詳細な説明】
【技術分野】
【０００１】
本発明は、通信技術分野に関し、詳細には、光伝送ネットワークにおいてフレキシブルイーサネットサービスを保持するための方法及び装置に関する。
【背景技術】
【０００２】
ＩＥＥＥによって定義された８０２．３ベースのイーサネットは、サービスインタフェースとして用いられ、様々なシナリオに適用されている。現在、光インターネットワーキングフォーラム（ＯＩＦ）は、イーサネットサービスに対するサブレート、チャネル化、及び逆多重化のような機能をサポートすべく、従来のイーサネット適用シナリオを拡張することを議論している。このようなイーサネット技術は、フレックスイーサネット（フレキシブルイーサネット）と称される。例えば、イーサネットサービスに対するサブレートの適用シナリオにおいて、５０Ｇのイーサネットサービスは、既存の１００ＧＥ物理媒体依存（ＰＭＤ）サブレイヤを用いることによって、伝送可能である。イーサネットサービスに対する逆多重化シナリオにおいて、２００Ｇのイーサネットサービスは、２つの既存の１００ＧＥのＰＭＤを用いることによって、伝送可能である。イーサネットサービスに対するチャネル化適用シナリオにおいて、サブレート技術及び逆多重化技術が組み合わせられ、複数の標準イーサネットＰＭＤが逆多重化によって共にバインドされ、大きい帯域幅のフレックスイーサネットサービスレイヤを取得することができる。フレックスイーサネットサービスレイヤは、複数のフレックスイーサネットサービスを保持する。例えば、１つの２５０Ｇのフレックスイーサネットサービス及び５つの１０Ｇのフレックスイーサネットサービスは、３００Ｇのフレックスイーサネットサービスレイヤにおいて伝送され、３００Ｇのフレックスイーサネットサービスレイヤは、３つの１００ＧＥのＰＭＤにおいて逆多重化を実行することによって生成される。
【０００３】
従来の光伝送ネットワーク（ＯＴＮ）ネットワーク伝送中に、フレックスイーサネットサービスレイヤにおいて保持される様々なフレックスイーサネットサービスは、異なるデスティネーションを有する。結果的に、フレックスイーサネットサービスレイヤは、全体としては、伝送のために用いることができない。従来の技術的解決手段において、フレックスイーサネットサービスが特定され、フレックスイーサネットサービスは、伝送のために、光チャネルデータユニットｋ（ＯＤＵｋ）コンテナ又はフレキシブル光チャネルデータユニット（ＯＤＵｆｌｅｘ）コンテナに、直接マッピングされる。１つのフレックスイーサネットサービスは、１つのＯＤＵｋ／ＯＤＵｆｌｅｘコンテナに対応する。
【０００４】
従来の技術的解決手段において、１つのフレックスイーサネットサービスは、全体としては、１つのＯＤＵｋ／ＯＤＵｆｌｅｘコンテナにマッピングされる。フレックスイーサネットサービスの帯域幅が、従来のＯＴＮネットワークにおける単一のラインインタフェースの帯域幅を超える場合、ラインインタフェースの帯域幅はアップグレードされなければならず、エンドツーエンドの再構築が、従来のＯＴＮネットワークに対して、サービスパスに従って実行される必要がある。このことが、ＯＴＮネットワークの相対的に高いネットワーク構築コストをもたらす。さらに、２つの４００ＧのＯＴＮラインインタフェースは、２つの３００Ｇのフレックスイーサネットサービス及び１つの２００Ｇのフレックスイーサネットサービスを伝送するために用いられることができない。２つの４００ＧのＯＴＮラインインタフェースが、それぞれ、２つの３００Ｇのフレックスイーサネットサービスを伝送するために用いられる場合、２００Ｇのフレックスイーサネットサービスは、２つの４００ＧのＯＴＮラインのうち、それぞれの残り１００Ｇ帯域幅を用いることによって伝送されることができず、第３の４００ＧのＯＴＮラインが確立される必要がある。このことが、帯域幅リソースの無駄を生じさせる。
【発明の概要】
【０００５】
本願は、光帯域幅の利用を向上させ、光伝送ネットワークのネットワーク構築コストを減少させるために、光伝送ネットワークにおいてフレキシブルイーサネットサービスを保持するための方法及び装置を提供する。
【０００６】
第１の態様は、光伝送ネットワークにおいてフレキシブルイーサネットサービスを保持するための方法を提供する。方法は、
伝送側によって、フレックスイーサネットサービスレイヤからフレックスイーサネットサービスを抽出する段階と、
伝送側によって、少なくとも２つのデータキューを取得すべく、フレックスイーサネットサービスに対してデータ分割を実行する段階であって、各データキューは、キュー識別子を保持する、段階と、
伝送側によって、各データキューをＯＴＮコンテナにマッピングする段階であって、ＯＴＮコンテナは、ＯＤＵｋコンテナ又はＯＤＵｆｌｅｘコンテナを含む、段階と、
伝送側によって、ＯＴＮコンテナをＯＴＮネットワークに送信する段階と、
を含む。
【０００７】
前述の技術的解決手段において、伝送側は、フレックスイーサネットサービスレイヤからフレックスイーサネットサービスを抽出し、少なくとも２つのデータキューを取得すべく、各フレックスイーサネットサービスに対してデータ分割を実行し、各データキューをＯＴＮコンテナにマッピングし、ＯＴＮコンテナをＯＴＮネットワークに送信する。各データキューは、キュー識別子を保持する。キュー識別子は、データの組み合わせ中におけるデータキューの組み合わせ順序を示すために用いられる。例えば、キュー識別子は、サービス識別子−キュー番号であってよい。例えば、伝送側がフレックスイーサネットサービスを２つのデータキューに分割し、フレックスイーサネットサービスのサービス識別子が１である場合、第１のデータキューのキュー識別子は１−１であってよく、第２のデータキューのキュー識別子は１−２であってよい。
【０００８】
例えば、フレックスイーサネットサービスレイヤは、２つの３００Ｇのフレックスイーサネットサービス及び１つの２００Ｇのフレックスイーサネットサービスを保持する。フレックスイーサネットサービスレイヤから第１の３００Ｇのフレックスイーサネットサービスを抽出した後で、伝送側は、３００Ｇのフレックスイーサネットサービスを６０のデータキューに分割し、各データキューをＯＴＮコンテナにマッピングしてよい。同様に、フレックスイーサネットサービスレイヤから第２の３００Ｇのフレックスイーサネットサービスを抽出した後で、伝送側は、３００Ｇのフレックスイーサネットサービスを６０のデータキューに分割し、各データキューをＯＴＮコンテナにマッピングしてよい。同様に、フレックスイーサネットサービスレイヤから２００Ｇのフレックスイーサネットサービスを抽出した後で、伝送側は、２００Ｇのフレックスイーサネットサービスを４０のデータキューに分割し、各データキューをＯＴＮコンテナにマッピングしてよい。データキューをそれぞれＯＴＮコンテナにマッピングした後で、伝送側は、第１の４００ＧのＯＴＮラインインタフェースを用いることによって、第１の３００Ｇのフレックスイーサネットサービスを保持する６０のＯＴＮコンテナ及び２００Ｇのフレックスイーサネットサービスを保持する２０のＯＴＮコンテナを伝送し、第２の４００ＧのＯＴＮラインインタフェースを用いることによって、第２の３００Ｇのフレックスイーサネットサービスを保持する６０のＯＴＮコンテナ及び２００Ｇのフレックスイーサネットサービスを保持する他の２０のＯＴＮコンテナを伝送してよい。ラインインタフェース帯域幅をアップグレードする必要がない。さらに、４００Ｇの各ＯＴＮラインインタフェースは、４００Ｇのフレックスイーサネットサービスを伝送するために用いられ、ＯＴＮネットワークの帯域幅リソースが、適切に用いられる。従って、前述の技術的解決手段は、帯域幅の利用を向上させ、光伝送ネットワークのネットワーク構築コストを減少させるために用いられることができる。
【０００９】
前述の技術的解決手段において、ＯＴＮコンテナをＯＴＮネットワークに送信する伝送方式は、限定されるものではないが、前述の方式を含むことに留意されたい。ＯＴＮコンテナは、自由に組み合わせ可能であり、異なるＯＴＮラインインタフェースを用いることによって伝送される。例えば、第１の３００Ｇのフレックスイーサネットサービスを保持する６０のＯＴＮコンテナ及び第２の３００Ｇのフレックスイーサネットサービスを保持する２０のＯＴＮコンテナは、第１の４００ＧのＯＴＮラインインタフェースを用いることによって伝送され、第２の３００Ｇのフレックスイーサネットサービスを保持する他の４０のＯＴＮコンテナ及び２００Ｇのフレックスイーサネットサービスを保持する４０のＯＴＮコンテナは、第２の４００ＧのＯＴＮラインインタフェースを用いることによって伝送される、等である。本発明の実施形態は、具体的に何らかの限定を課すものではない。
【００１０】
任意選択的な技術的解決手段において、フレックスイーサネットサービスレイヤからフレックスイーサネットサービスを抽出した後で、伝送側は、平均で２０４６０の６６Ｂコードブロック毎に、アイドルコードブロックをフレックスイーサネットサービスに挿入してよい。
【００１１】
具体的な実装方式において、伝送側がフレックスイーサネットサービスレイヤからフレックスイーサネットサービスを抽出した後で、サービスレイヤオーバヘッドは、削除される。マッピング回路クロック処理の便宜のために、伝送側は、平均で２０４６０の６６Ｂコードブロック毎に、アイドルコードブロックをフレックスイーサネットサービスに挿入してよい。任意選択的に、伝送側は、２０４６１の６６Ｂコードブロックの間隔で、第１のアイドルコードブロックをフレックスイーサネットサービスに挿入し、挿入された第１のアイドルコードブロックから開始する２０４５９の６６Ｂコードブロックの間隔で、第２のアイドルコードブロックを挿入してよい。さらに、６６Ｂコードブロックは、前述の挿入間隔で、循環的に挿入される。例えば、第３のアイドルコードブロックは、挿入された第２のアイドルコードブロックから開始する２０４６１の６６Ｂコードブロックの間隔で挿入され、第４のアイドルコードブロックは、挿入された第３のアイドルコードブロックから開始する２０４５９の６６Ｂコードブロックの間隔で挿入される、等である。任意選択的に、伝送側がフレックスイーサネットサービスレイヤからフレックスイーサネットサービスを抽出した後で、サービスレイヤオーバヘッドは、削除される。フレックスイーサネットサービスとインタフェースクロックとの間には、ファクタ２０４６０／２０４６１が存在する。すなわち、各データキューの帯域幅は、１／２０４６１ずつ、約５．１５６Ｇまで減少する。少なくとも２つのデータキューを取得すべく、フレックスイーサネットサービスに対してデータ分割を実行した後で、伝送側は、平均で２０４６０の６６Ｂコードブロック毎に、アイドルコードブロックを各データキューに挿入してよい。
【００１２】
本発明の実施形態において、アイドルコードブロックは、そのサービスレイヤオーバヘッド及びアライメントマーカキャラクタが削除されたフレックスイーサネットサービスのデータストリームを充填するために用いられる。これにより、アイドルコードブロックによって充填されたフレックスイーサネットサービスの帯域幅とフレックスイーサネットの物理インタフェースクロックとの間のクロックファクタが単純となり、クロック処理モジュールによる処理が容易化される。
【００１３】
任意選択的な技術的解決手段において、伝送側によって、少なくとも２つのデータキューを取得すべく、フレックスイーサネットサービスに対してデータ分割を実行する段階の後で、方法は、
タイムスロットデータキューの少なくとも２つのグループを取得すべく、少なくとも２つのデータキューに対してタイムスロットのグループ化を実行する段階であって、タイムスロットデータキューの各グループは、少なくとも１つのデータキューを含む、段階と、
データストリームを取得すべく、タイムスロットデータキューの各グループに対してインタリーブを実行する段階と、
をさらに含み、
各データキューをＯＴＮコンテナにマッピングする段階は、
インタリーブによって取得された各データストリームをＯＴＮコンテナにマッピングする段階
を含む。
【００１４】
例えば、伝送側は、５つのデータキューを取得すべく、フレックスイーサネットサービスに対してデータ分割を実行することと、タイムスロットデータキューの２つのグループを取得すべく、５つのデータキューに対してタイムスロットのグループ化を実行することであって、タイムスロットデータキューの第１のグループは、３つのデータキューを含み、タイムスロットデータキューの第２のグループは、２つのデータキューを含む、グループ化を実行することと、第１のデータストリームを取得すべく、タイムスロットデータキューの第１のグループにおける３つのデータキューに対してインタリーブを実行し、第２のデータストリームを取得すべく、タイムスロットデータキューの第２のグループにおける２つのデータキューに対してインタリーブを実行することと、インタリーブによって取得された第１のデータストリームを、ＯＴＮコンテナにマッピングし、インタリーブによって取得された第２のデータストリームを、他のＯＴＮコンテナにマッピングすることと、を実行する。５つのデータキューが５つのＯＴＮコンテナにそれぞれマッピングされる必要がある第１の態様の技術的解決手段と比較して、この技術的解決手段は、データ処理効率を向上させ、管理負荷を減少させるために用いられることができる。
【００１５】
任意選択的に、平均で２０４６０の６６Ｂコードブロック毎に、アイドルコードブロックをフレックスイーサネットサービスに挿入した後で、伝送側は、タイムスロットデータキューの少なくとも１つのグループを取得すべく、少なくとも２つのデータキューに対してタイムスロットのグループ化を実行し、データストリームを取得すべく、タイムスロットデータキューの各グループに対してインタリーブを実行し、インタリーブによって取得された各データストリームをＯＴＮコンテナにマッピングする。
【００１６】
第２の態様は、光伝送ネットワークにおいてフレキシブルイーサネットサービスを保持するための方法を提供する。方法は、
フレックスイーサネットサービスレイヤからフレックスイーサネットサービスを抽出する段階と、
ＰＭＤチャネルを少なくとも２つの仮想連結コンテナに分割する段階と、
フレックスイーサネットサービスを少なくとも２つの仮想連結コンテナにマッピングする段階であって、仮想連結コンテナは、ＯＤＵｋ−Ｘｖコンテナ又はＯＤＵｆｌｅｘ−Ｘｖコンテナを含む、段階と、
少なくとも２つの仮想連結コンテナを組み合わせてＯＴＮコンテナにする段階であって、ＯＴＮコンテナの数は、ＰＭＤチャネルの数と同じである、段階と、
ＯＴＮコンテナをＯＴＮネットワークに送信する段階と、
を含む。
【００１７】
例えば、フレックスイーサネットサービスレイヤは、２つの３００Ｇのフレックスイーサネットサービス及び１つの２００Ｇのフレックスイーサネットサービスを保持する。フレックスイーサネットサービスレイヤからフレックスイーサネットサービスを抽出した後で、伝送側は、２つの４００ＧのＰＭＤチャネルを１６０の５Ｇの仮想連結コンテナに分割し、２つの３００Ｇのフレックスイーサネットサービス及び２００Ｇのフレックスイーサネットサービスを１６０の５Ｇの仮想連結コンテナにマッピングし、フレックスイーサネットサービスを保持する１６０の５Ｇの仮想連結コンテナを組み合わせて２つのＯＴＮコンテナとし、第１の４００ＧのＯＴＮラインインタフェースを用いることによって第１のＯＴＮコンテナを伝送し、第２の４００ＧのＯＴＮラインインタフェースを用いることによって第２のＯＴＮコンテナを伝送してよい。ラインインタフェース帯域幅をアップグレードする必要がない。さらに、４００Ｇの各ＯＴＮラインインタフェースは、４００Ｇのフレックスイーサネットサービスを伝送するために用いられ、ＯＴＮネットワークの帯域幅リソースが、適切に用いられる。従って、前述の技術的解決手段は、帯域幅の利用を向上させ、光伝送ネットワークのネットワーク構築コストを減少させるために用いられることができる。
【００１８】
第３の態様は、光伝送ネットワークにおいてフレキシブルイーサネットサービスを保持するための方法を提供する。方法は、
ＯＴＮネットワークからＯＴＮコンテナを取得する段階であって、ＯＴＮコンテナは、ＯＤＵｋコンテナ又はＯＤＵｆｌｅｘコンテナを含む、段階と、
ＯＴＮコンテナからデータキューを取得する段階と、
フレックスイーサネットサービスを取得すべく、データキューに対してデータの組み合わせを実行する段階と、
フレックスイーサネットサービスをフレックスイーサネットサービスレイヤにマッピングする段階と、
フレックスイーサネットインタフェースを用いることによって、フレックスイーサネットサービスレイヤを受信する段階と、
を含む。
【００１９】
第１の態様の適用シナリオは、アップストリーム伝送である（伝送側が、フレックスイーサネットサービスをＯＴＮネットワークに送信する）。第３の態様の適用シナリオは、ダウンストリーム伝送である（受信側が、ＯＴＮネットワークからフレックスイーサネットサービスを受信する）。第３の態様においてフレックスイーサネットサービスを処理するプロセスは、第１の態様においてフレックスイーサネットサービスを処理するプロセスと逆である。詳細については、第１の態様において説明された技術的解決手段が参照されてよい。
【００２０】
第４の態様は、光伝送ネットワークにおいてフレキシブルイーサネットサービスを保持するための方法を提供する。方法は、
ＯＴＮネットワークからＯＴＮコンテナを取得する段階であって、ＯＴＮコンテナは、ＯＤＵｋコンテナ又はＯＤＵｆｌｅｘコンテナを含む、段階と、
ＯＴＮコンテナを少なくとも２つの仮想連結コンテナに分割する段階であって、仮想連結コンテナは、ＯＤＵｋ−Ｘｖコンテナ又はＯＤＵｆｌｅｘ−Ｘｖコンテナを含む、段階と、
少なくとも２つの仮想連結コンテナからフレックスイーサネットサービスを取得する段階と、
フレックスイーサネットサービスをフレックスイーサネットサービスレイヤにマッピングする段階と、
フレックスイーサネットインタフェースを用いることによって、フレックスイーサネットサービスレイヤを受信する段階と、
を含む。
【００２１】
第２の態様の適用シナリオは、アップストリーム伝送である（伝送側が、フレックスイーサネットサービスをＯＴＮネットワークに送信する）。第４の態様の適用シナリオは、ダウンストリーム伝送である（受信側が、ＯＴＮネットワークからフレックスイーサネットサービスを受信する）。第４の態様においてフレックスイーサネットサービスを処理するプロセスは、第２の態様においてフレックスイーサネットサービスを処理するプロセスと逆である。詳細については、第２の態様において説明される技術的解決手段が参照されてよい。
【００２２】
第５の態様は、光伝送ネットワークにおいてフレキシブルイーサネットサービスを保持するための装置を提供する。装置は、サービス抽出ユニット、データ分割ユニット、データマッピングユニット、及びコンテナ送信ユニットを含んでよく、装置は、第１の態様に関連するいくつか又は全ての段階を実装するように構成可能である。
【００２３】
第６の態様は、プロセッサ及びメモリを含む端末デバイスを提供する。プロセッサは、第１の態様に関連するいくつか又は全ての段階を実装するように構成可能である。
【００２４】
第７の態様は、光伝送ネットワークにおいてフレキシブルイーサネットサービスを保持するための装置を提供する。装置は、サービス抽出ユニット、コンテナ分割ユニット、サービスマッピングユニット、コンテナ組み合わせユニット、及びコンテナ送信ユニットを含んでよく、装置は、第２の態様に関連するいくつか又は全ての段階を実装するように構成可能である。
【００２５】
第８の態様は、プロセッサ及びメモリを含む端末デバイスを提供する。プロセッサは、第２の態様に関連するいくつか又は全ての段階を実装するように構成可能である。
【００２６】
第９の態様は、光伝送ネットワークにおいてフレキシブルイーサネットサービスを保持するための装置を提供する。装置は、コンテナ取得ユニット、データ取得ユニット、データ組み合わせユニット、サービスマッピングユニット、及びサービスレイヤ受信ユニットを含んでよく、装置は、第３の態様に関連するいくつか又は全ての段階を実装するように構成可能である。
【００２７】
第１０の態様は、プロセッサ及びメモリを含む端末デバイスを提供する。プロセッサは、第３の態様に関連するいくつか又は全ての段階を実装するように構成可能である。
【００２８】
第１１の態様は、光伝送ネットワークにおいてフレキシブルイーサネットサービスを保持するための装置を提供する。装置は、コンテナ取得ユニット、コンテナ分割ユニット、サービス取得ユニット、サービスマッピングユニット、及びサービスレイヤ受信ユニットを含んでよく、装置は、第４の態様に関連するいくつか又は全ての段階を実装するように構成可能である。
【００２９】
第１２の態様は、プロセッサ及びメモリを含む端末デバイスを提供する。プロセッサは、第４の態様に関連するいくつか又は全ての段階を実装するように構成可能である。
【００３０】
第１３の態様は、光伝送ネットワークにおいてフレキシブルイーサネットサービスを保持するためのシステムを提供する。システムは、伝送側及び受信側を含み、
伝送側は、フレックスイーサネットサービスレイヤからフレックスイーサネットサービスを抽出することと、少なくとも２つのデータキューを取得すべく、フレックスイーサネットサービスに対してデータ分割を実行することと、各データキューをＯＴＮコンテナにマッピングすることであって、ＯＴＮコンテナは、ＯＤＵｋコンテナ又はＯＤＵｆｌｅｘコンテナを含む、マッピングすることと、ＯＴＮコンテナをＯＴＮネットワークに送信することと、を実行するように構成され、
受信側は、ＯＴＮネットワークからＯＴＮコンテナを取得し、ＯＴＮコンテナからデータキューを取得し、フレックスイーサネットサービスを取得すべく、データキューにおけるデータを組み合わせ、フレックスイーサネットサービスをフレックスイーサネットサービスレイヤにマッピングし、フレックスイーサネットインタフェースを用いることによって、フレックスイーサネットサービスレイヤを受信するように構成される。
【００３１】
第１４の態様は、光伝送ネットワークにおいてフレキシブルイーサネットサービスを保持するためのシステムを提供する。システムは、伝送側及び受信側を含み、
伝送側は、フレックスイーサネットサービスレイヤからフレックスイーサネットサービスを抽出することと、ＰＭＤチャネルを少なくとも２つの仮想連結コンテナに分割することと、フレックスイーサネットサービスを少なくとも２つの仮想連結コンテナにマッピングすることと、少なくとも２つの仮想連結コンテナを組み合わせてＯＴＮコンテナとすることであって、ＯＴＮコンテナの数はＰＭＤチャネルの数と同じである、組み合わせてＯＴＮコンテナとすることと、ＯＴＮコンテナを光伝送ネットワークに送信することと、を実行するように構成され、
受信側は、ＯＴＮネットワークからＯＴＮコンテナを取得し、ＯＴＮコンテナを少なくとも２つの仮想連結コンテナに分割し、少なくとも２つの仮想連結コンテナからフレックスイーサネットサービスを取得し、フレックスイーサネットサービスをフレックスイーサネットサービスレイヤにマッピングし、フレックスイーサネットインタフェースを用いることによって、フレックスイーサネットサービスレイヤを受信するように構成される。
【図面の簡単な説明】
【００３２】
本発明の実施形態における技術的解決手段をより明確に説明すべく、以下、実施形態を説明するために必要とされる添付図面を、簡潔に説明する。以下の説明における添付図面は、本発明のいくつかの実施形態を示すに過ぎず、当業者であれば、創造的努力なく、これらの添付図面から他の図面をさらに導出し得ることは明らかである。
【００３３】
【図１】本発明の実施形態に係る、ＯＴＮにおいてフレックスイーサネットサービスを保持するためのシステムの模式的構造図である。
【００３４】
【図２Ａ】本発明の実施形態に係る、フレックスイーサネットサービスをフレックスイーサネットサービスレイヤにマッピングする模式図である。
【００３５】
【図２Ｂ】本発明の実施形態に係るサービスレイヤオーバヘッドのフォーマットの模式図である。
【００３６】
【図２Ｃ】本発明の実施形態に係るフレックスイーサネットサービスレイヤのフレームデータストリームにおけるサービスレイヤオーバヘッドの位置の模式図である。
【００３７】
【図２Ｄ】本発明の実施形態に係るＡＭキャラクタが挿入されたＰＣＳタイムスロットの模式図である。
【００３８】
【図２Ｅ】本発明の実施形態に係る、フレックスイーサネットサービスレイヤからフレックスイーサネットサービスを抽出する模式図である。
【００３９】
【図２Ｆ】本発明の実施形態に係るアイドルコードブロックのフォーマットの模式図である。
【００４０】
【図２Ｇ】本発明の実施形態に係る制御コードブロックのフォーマットの模式図である。
【００４１】
【図３】本発明の実施形態に係る、光伝送ネットワークにおいてフレキシブルイーサネットサービスを保持するための方法の模式的フローチャートである。
【００４２】
【図４】本発明の他の実施形態に係る、光伝送ネットワークにおいてフレキシブルイーサネットサービスを保持するための方法の模式的フローチャートである。
【００４３】
【図５】本発明の実施形態に係る仮想連結オーバヘッドのフォーマットの模式図である。
【００４４】
【図６】本発明の実施形態に係る端末デバイスの模式的構造図である。
【００４５】
【図７】本発明の実施形態に係る、光伝送ネットワークにおいてフレキシブルイーサネットサービスを保持するための装置の模式的構造図である。
【００４６】
【図８】本発明の他の実施形態に係る端末デバイスの模式的構造図である。
【００４７】
【図９】本発明の他の実施形態に係る、光伝送ネットワークにおいてフレキシブルイーサネットサービスを保持するための装置の模式的構造図である。
【００４８】
【図１０】本発明の他の実施形態に係る端末デバイスの模式的構造図である。
【００４９】
【図１１】本発明の他の実施形態に係る、光伝送ネットワークにおいてフレキシブルイーサネットサービスを保持するための装置の模式的構造図である。
【００５０】
【図１２】本発明の他の実施形態に係る端末デバイスの模式的構造図である。
【００５１】
【図１３】本発明の他の実施形態に係る、光伝送ネットワークにおいてフレキシブルイーサネットサービスを保持するための装置の模式的構造図である。
【発明を実施するための形態】
【００５２】
以下、本発明の実施形態における添付図面に関連して、本発明の実施形態における技術的解決手段を明確に説明する。
【００５３】
図１を参照すると、図１は、本発明の実施形態に係る、光伝送ネットワークにおいてフレキシブルイーサネットサービスを保持するためのシステムの模式的構造図である。図示されるように、本発明の本実施形態における、光伝送ネットワークにおいてフレキシブルイーサネットサービスを保持するためのシステムは、少なくとも伝送側及び受信側を含んでよい。伝送側及び受信側は、ＯＴＮネットワークを用いることによって、通信接続を確立することができる。光伝送ネットワークにおいてフレキシブルイーサネットサービスを保持するためのシステムは、アップストリーム伝送及びダウンストリーム伝送を実装することができる。アップストリーム伝送は、伝送側が、フレックスイーサネットサービスをＯＴＮネットワークに送信することを意味する。ダウンストリーム伝送は、受信側が、ＯＴＮネットワークからフレックスイーサネットサービスを受信することを意味する。
【００５４】
アップストリーム伝送プロセス中に、伝送側は、フレックスイーサネットサービスレイヤからフレックスイーサネットサービスを抽出することと、少なくとも２つのデータキューを取得すべく、フレックスイーサネットサービスに対してデータ分割を実行することと、各データキューをＯＴＮコンテナにマッピングすることであって、ＯＴＮコンテナは、ＯＤＵｋコンテナ又はＯＤＵｆｌｅｘコンテナを含む、マッピングすることと、ＯＴＮコンテナをＯＴＮネットワークに送信することと、を実行するように構成される。
【００５５】
ダウンストリーム伝送プロセス中に、受信側は、ＯＴＮネットワークからＯＴＮコンテナを取得し、ＯＴＮコンテナからデータキューを取得し、フレックスイーサネットサービスを取得すべく、データキューにおけるデータを組み合わせ、フレックスイーサネットサービスをフレックスイーサネットサービスレイヤにマッピングし、フレックスイーサネットインタフェースを用いることによって、フレックスイーサネットサービスレイヤを受信するように構成される。
【００５６】
図１に示される光伝送ネットワークにおいてフレキシブルイーサネットサービスを保持するためのシステムにおいて、伝送側は、フレックスイーサネットサービスレイヤからフレックスイーサネットサービスを抽出することと、少なくとも２つのデータキューを取得すべく、フレックスイーサネットサービスに対してデータ分割を実行することと、各データキューをＯＴＮコンテナにマッピングすることであって、ＯＴＮコンテナは、ＯＤＵｋコンテナ又はＯＤＵｆｌｅｘコンテナを含む、マッピングすることと、ＯＴＮコンテナをＯＴＮネットワークに送信することと、を実行する。さらに、受信側は、ＯＴＮネットワークからＯＴＮコンテナを取得し、ＯＴＮコンテナからデータキューを取得し、フレックスイーサネットサービスを取得すべく、データキューにおけるデータを組み合わせ、フレックスイーサネットサービスをフレックスイーサネットサービスレイヤにマッピングし、フレックスイーサネットインタフェースを用いることによって、フレックスイーサネットサービスレイヤを受信する。これは、帯域幅の利用を向上させ、光伝送ネットワークのネットワーク構築コストを減少させることができる。
【００５７】
図１を参照すると、図１は、本発明の実施形態に係る、光伝送ネットワークにおいてフレキシブルイーサネットサービスを保持するためのシステムの模式的構造図である。図示されるように、本発明の本実施形態における、光伝送ネットワークにおいてフレキシブルイーサネットサービスを保持するためのシステムは、少なくとも伝送側及び受信側を含んでよい。伝送側及び受信側は、ＯＴＮネットワークを用いることによって、通信接続を確立することができる。光伝送ネットワークにおいてフレキシブルイーサネットサービスを保持するためのシステムは、アップストリーム伝送及びダウンストリーム伝送を実装することができる。アップストリーム伝送は、伝送側が、フレックスイーサネットサービスをＯＴＮネットワークに送信することを意味する。ダウンストリーム伝送は、受信側が、ＯＴＮネットワークからフレックスイーサネットサービスを受信することを意味する。
【００５８】
アップストリーム伝送プロセス中に、伝送側は、フレックスイーサネットサービスレイヤからフレックスイーサネットサービスを抽出することと、ＰＭＤチャネルを少なくとも２つの仮想連結コンテナに分割することと、フレックスイーサネットサービスを少なくとも２つの仮想連結コンテナにマッピングすることと、少なくとも２つの仮想連結コンテナを組み合わせてＯＴＮコンテナとすることであって、ＯＴＮコンテナの数は、ＰＭＤチャネルの数と同じである、組み合わせてＯＴＮコンテナとすることと、ＯＴＮコンテナを光伝送ネットワークに送信することと、を実行するように構成される。
【００５９】
ダウンストリーム伝送プロセス中に、受信側は、ＯＴＮネットワークからＯＴＮコンテナを取得し、ＯＴＮコンテナを少なくとも２つの仮想連結コンテナに分割し、少なくとも２つの仮想連結コンテナからフレックスイーサネットサービスを取得し、フレックスイーサネットサービスをフレックスイーサネットサービスレイヤにマッピングし、フレックスイーサネットインタフェースを用いることによって、フレックスイーサネットサービスレイヤを受信するように構成される。
【００６０】
図１に示される光伝送ネットワークにおいてフレキシブルイーサネットサービスを保持するためのシステムにおいて、伝送側は、フレックスイーサネットサービスレイヤからフレックスイーサネットサービスを抽出することと、ＰＭＤチャネルを少なくとも２つの仮想連結コンテナに分割することと、フレックスイーサネットサービスを少なくとも２つの仮想連結コンテナにマッピングすることと、少なくとも２つの仮想連結コンテナを組み合わせてＯＴＮコンテナとすることであって、ＯＴＮコンテナの数は、ＰＭＤチャネルの数と同じである、組み合わせてＯＴＮコンテナとすることと、ＯＴＮコンテナを光伝送ネットワークに送信することと、を実行する。さらに、受信側は、ＯＴＮネットワークからＯＴＮコンテナを取得し、ＯＴＮコンテナを少なくとも２つの仮想連結コンテナに分割し、少なくとも２つの仮想連結コンテナからフレックスイーサネットサービスを取得し、フレックスイーサネットサービスをフレックスイーサネットサービスレイヤにマッピングし、フレックスイーサネットインタフェースを用いることによって、フレックスイーサネットサービスレイヤを受信する。これは、帯域幅の利用を向上させ、光伝送ネットワークのネットワーク構築コストを減少させることができる。
【００６１】
図３を参照すると、図３は、本発明の実施形態に係る、光伝送ネットワークにおいてフレキシブルイーサネットサービスを保持するための方法の模式的フローチャートである。図示されるように、本発明の本実施形態における、光伝送ネットワークにおいてフレキシブルイーサネットサービスを保持するための方法は、少なくとも以下の段階を含んでよい。
【００６２】
Ｓ３０１：伝送側は、フレックスイーサネットサービスレイヤからフレックスイーサネットサービスを抽出する。
【００６３】
具体的な実装において、伝送側は、フレックスイーサネットサービスレイヤにおけるフレックスイーサネットサービスのタイムスロット分布に従って、フレックスイーサネットサービスレイヤからフレックスイーサネットサービスを抽出してよい。例えば、フレックスイーサネットサービスにおける各データキューは、フレックスイーサネットサービスレイヤのフレーム構造に挿入される場合に、キュー識別子を保持する。例えば、第１のデータキューによって保持されるキュー識別子は、１−１であり、第２のデータキューによって保持されるキュー識別子は、１−２である。受信側は、フレックスイーサネットサービスレイヤにおけるフレームデータストリームから、そのキュー識別子が１−１であるデータキュー及びそのキュー識別子が１−２であるデータキューを、順に抽出し、フレックスイーサネットサービスを取得すべく、２つのデータキューにおけるデータを組み合わせてよい。
【００６４】
任意選択的に、フレックスイーサネットサービスレイヤは、ポーリングによって、ＰＣＳタイムスロットに分配される。フレックスイーサネットサービスレイヤからフレックスイーサネットサービスを抽出する前に、伝送側は、各１００ＧＥのＰＭＤに対応するＰＣＳロジックレーンにおけるＡＭキャラクタに従って、ＰＣＳロジックレーンに対するタイムスロットアライメントを実行し、フレックスイーサネットサービスレイヤを取得すべく、ＰＣＳロジックレーンにおけるＡＭキャラクタを削除してよい。各ＰＣＳタイムスロットは、対応するＰＣＳロジックレーンを用いることによって、伝送されてよい。例えば、図２Ｅは、フレックスイーサネットサービスレイヤからフレックスイーサネットサービスを抽出する模式図を示す。各グリッドは、５Ｇのタイムスロットに対応する。伝送側は、ＰＣＳタイムスロットにおけるＡＭキャラクタに従って、ＰＣＳレーンにおける全てのグリッドがアライメントされること、すなわち、ＰＣＳタイムスロットに対するタイムスロットアライメントを実行することを決定してよい。伝送側は、ＰＣＳタイムスロットにおけるＡＭキャラクタを削除し、フレックスイーサネットサービスレイヤのフレームデータストリームを取得すべく、そのＡＭキャラクタが削除されたＰＣＳタイムスロットを組み合わせてよい。
【００６５】
さらに、ＰＣＳタイムスロットにおけるＡＭキャラクタを削除した後で、伝送側は、ＰＣＳタイムスロットによって保持されるサービスレイヤオーバヘッドに従って、そのＡＭキャラクタが削除されたＰＣＳタイムスロットに対してオーバヘッドアライメントを実行し、オーバヘッドアライメントによって取得されたＰＣＳタイムスロットからフレックスイーサネットサービスを抽出してよい。例えば、図２Ｅは、フレックスイーサネットサービスレイヤからフレックスイーサネットサービスを抽出する模式図を示す。伝送側は、そのＡＭキャラクタが削除されたＰＣＳタイムスロットに対して、オーバヘッドアライメントを実行してよい。すなわち、ＰＣＳレーンによって保持されるサービスレイヤオーバヘッドは、長さ方向にアライメントされる。次に、フレックスイーサネットサービスが、オーバヘッドアライメントによって取得されたＰＣＳタイムスロットから抽出される。例えば、４つの５Ｇタイムスロットデータキューが、＃１ＰＭＤのＰＣＳタイムスロットから抽出され、それぞれ、１．２、１．５、１．１０、及び１．１５である。４つの５Ｇタイムスロットデータキューが、＃２ＰＭＤのＰＣＳタイムスロットから抽出され、それぞれ、２．１、２．２、２．４、及び２．６である。フレックスイーサネットサービスを取得すべく、データの組み合わせが、図２Ｅに示される順序に従って、８つのデータキューに対して実行される。１．２の例において、１．２における１は、ＰＭＤ番号を表し、１．２における２は、＃１ＰＭＤの２０の５Ｇのタイムスロットの第２のタイムスロットを占有することを表す。
【００６６】
任意選択的に、フレックスイーサネットサービスレイヤからフレックスイーサネットサービスを抽出した後で、伝送側は、平均で２０４６０の６６Ｂコードブロック毎に、アイドルコードブロックをフレックスイーサネットサービスに挿入してよい。アイドルコードブロックのフォーマットの模式図が、図２Ｆに示されてよい。アイドルコードブロックの帯域幅は、６６Ｂ（６６ビット）である。
【００６７】
Ｓ３０２：伝送側は、少なくとも２つのデータキューを取得すべく、フレックスイーサネットサービスに対してデータ分割を実行する。
【００６８】
任意選択的に、少なくとも２つのデータキューを取得すべく、フレックスイーサネットサービスに対してデータ分割を実行した後で、伝送側は、１６３８３のサービスデータブロック毎に、制御コードを各データキューに挿入してよい。制御コードは、データキューに対するタイムスロットアライメントを実行するよう命令するために用いられる。制御コードの模式的構造図は、図２Ｇに示されてよい。制御コードの帯域幅は、６６Ｂである。制御タイプは、０×Ｃ３にカスタマイズされる。サービス識別子は、サービスが同じフレックスイーサネットサービスであるか否かをチェックするために用いられる。伝送側は、全てのタイムスロットに、同じ値を挿入する（値は、ランダムな値であってよいが、同じフレックスイーサネットサービスに挿入される値は、同じでなければならない）。これは、フレックスイーサネットサービスの組み合わせチェックに用いられる。タイムスロットの合計数は、フレックスイーサネットサービスによって占有される５Ｇのタイムスロット数である。タイムスロットの番号は、自然な順序で、０から開始する。遅延アライメントフィールドの長さは、８ビットであり、遅延アライメントは、制御コードの周期と連動する。実現可能な最大のタイムスロットアライメント能力は、約２６．７ｍｓである（１６３８４＊６６／５．１５６２５＊２５５／２＝２６７３８６８８ｎｓ）。
【００６９】
任意選択的に、アップストリーム伝送プロセス中に、少なくとも２つのデータキューを取得すべく、フレックスイーサネットサービスに対してデータ分割を実行した後で、伝送側は、タイムスロットデータキューの少なくとも２つのグループを取得すべく、少なくとも２つのデータキューに対してタイムスロットのグループ化を実行することであって、タイムスロットデータキューの各グループは、少なくとも２つのデータキューを含む、グループ化を実行することと、データストリームを取得すべく、タイムスロットデータキューの各グループに対してインタリーブを実行することと、インタリーブによって取得された各データストリームをＯＴＮコンテナにマッピングすることと、を実行してよい。
【００７０】
Ｓ３０３：伝送側は、各データキューをＯＴＮコンテナにマッピングする。
【００７１】
Ｓ３０４：伝送側は、ＯＴＮコンテナをＯＴＮネットワークに送信する。
【００７２】
Ｓ３０５：受信側は、ＯＴＮネットワークからＯＴＮコンテナを取得する。
【００７３】
Ｓ３０６：受信側は、ＯＴＮコンテナからデータキューを取得する。
【００７４】
任意選択的に、伝送側が、タイムスロットデータキューの少なくとも１つのグループを取得すべく、少なくとも２つのデータキューに対してタイムスロットのグループ化を実行し、データストリームを取得すべく、タイムスロットデータキューの各グループに対してインタリーブを実行し、インタリーブによって取得された各データストリームをＯＴＮコンテナにマッピングする場合、受信側は、ＯＴＮコンテナから、インタリーブによって取得されたデータストリームを取得し、タイムスロットデータキューを取得すべく、インタリーブによって取得されたデータストリームに対してデインタリーブを実行し、タイムスロットデータキューからデータキューを取得してよい。
【００７５】
任意選択的に、伝送側が１６３８３のサービスデータブロック毎に、制御コードを各データキューに挿入する場合、受信側は、データキューによって保持される制御コードに従って、データキューに対するタイムスロットアライメントを実行し、データキューを取得すべく、データキューにおける制御コードを削除してよい。
【００７６】
Ｓ３０７：受信側は、フレックスイーサネットサービスを取得すべく、データキューにおけるデータを組み合わせる。
【００７７】
Ｓ３０８：受信側は、フレックスイーサネットサービスをフレックスイーサネットサービスレイヤにマッピングする。
【００７８】
具体的な実装において、受信側は、フレックスイーサネットサービスレイヤのサービスレイヤオーバヘッドを取得することであって、サービスレイヤオーバヘッドは、フレックスイーサネットサービスを保持するＰＣＳに対するタイムスロット割り当てを実行するよう命令するために用いられる、取得することと、サービスレイヤオーバヘッドに従って、ポーリングによって、フレックスイーサネットサービスを割り当てられたＰＣＳタイムスロットに分配することと、を実行してよい。
【００７９】
例えば、図２Ａは、フレックスイーサネットサービスをフレックスイーサネットサービスレイヤにマッピングする模式図を示す。フレックスイーサネットサービスの帯域幅が１０Ｇである場合、受信側は、フレックスイーサネットサービスを２つのデータキューに分割してよい。各データキューは、キュー識別子を保持し、キュー識別子は、データの組み合わせのために用いられる。各データキューは、５Ｇの帯域幅を有する。受信側は、さらに、２つのデータキューをフレックスイーサネットサービスレイヤのフレーム構造に挿入することであって、各グリッドは、５Ｇのタイムスロットに対応する、挿入することと、フレックスイーサネットサービスレイヤのサービスレイヤオーバヘッドを取得することと、サービスレイヤオーバヘッドに従って、フレックスイーサネットサービスを保持するＰＣＳにおいて、タイムスロット割り当てを実行することと、ポーリングによって、フレックスイーサネットサービスを割り当てられたＰＣＳタイムスロットに分配することと、を実行してよい。サービスレイヤオーバヘッドは、周期的である。受信側は、フレックスイーサネットサービスを第１のサービスレイヤオーバヘッドと第２のサービスレイヤオーバヘッドとの間の割り当てられたＰＣＳタイムスロットに分配してよい。あるいは、受信側は、フレックスイーサネットサービスを、第２のサービスレイヤオーバヘッドと第３のサービスレイヤオーバヘッドとの間の割り当てられたＰＣＳタイムスロットに分配してよい。
【００８０】
さらに、フレックスイーサネットサービスレイヤのサービスレイヤオーバヘッドは、フレックスイーサネットサービスを保持するＰＣＳに対するタイムスロット割り当てを実行するよう命令するために用いられる。例えば、図２Ｂは、サービスレイヤオーバヘッドのフォーマットの模式図を示す。＃ＰＨＹは、フレックスイーサネットサービスレイヤによって多重化されたＰＭＤチャネルの数を示すために用いられる。このＰＨＹは、フレックスイーサネットサービスレイヤのＰＨＹ（Ｐｈｙｓｉｃａｌ  Ｌａｙｅｒ  Ｄｅｖｉｃｅ、物理層デバイス）を示すために用いられる。例えば、受信側は、＃ＰＨＹに従って、フレックスイーサネットサービスレイヤが４つの１００ＧＥのＰＭＤチャネルのＰＣＳレーンを多重化することを決定する。５Ｇのタイムスロット方式で、フレックスイーサネットサービスレイヤのフレーム構造における対応する位置に１０Ｇのフレックスイーサネットサービスを挿入した後で、受信側は、１００ＧＥのＰＭＤチャネルを用いることによって、１０Ｇのフレックスイーサネットサービスを伝送する。
【００８１】
さらに、フレックスイーサネットサービスレイヤのフレームデータストリームにおけるサービスレイヤオーバヘッドの位置が、図２Ｃに示されてよい。受信側は、各１００ＧＥのＰＭＤの、フレックスイーサネットサービスレイヤに対応するインタフェースに、周期的なサービスレイヤオーバヘッドを挿入する。フレックスイーサネットサービスレイヤのオーバヘッドは、５Ｇのタイムスロット割り当てを実装するために用いられる。
【００８２】
さらに、サービスレイヤオーバヘッドに従って、ポーリングによって、フレックスイーサネットサービスを割り当てられたＰＣＳタイムスロットに分配した後で、受信側は、１００ＧＥのＰＣＳ処理方式で、フレックスイーサネットサービスを２０のロジックチャネルに分割し、ＡＭ（Ａｌｉｇｎｍｅｎｔ  Ｍａｒｋｅｒ、アライメントマーカ）キャラクタを、各チャネルの規定された位置に挿入する。ＡＭキャラクタは、１００ＧＥのＰＭＤのインタフェースの内部遅延アライメントのために用いられる。例えば、図２Ｄは、ＡＭキャラクタが挿入されたＰＣＳタイムスロットの模式図を示す。各行は、各ＰＣＳレーンにおける５Ｇのタイムスロットに対応する。ＡＭキャラクタは、１００ＧＥのＰＭＤ内における５Ｇのタイムスロットのタイムスロットアライメントを示すために用いられる。ＡＭキャラクタが挿入された位置は、限定されるものではないが、本発明の本実施形態における前述の位置を含むことに留意されたい。例えば、受信側は、各ＰＣＳレーンにおける１Ｇのタイムスロットの位置等に、ＡＭキャラクタを挿入してよい。本発明の本実施形態は、具体的に何らかの限定を課すものではない。
【００８３】
Ｓ３０９：受信側は、フレックスイーサネットインタフェースを用いることによって、フレックスイーサネットサービスレイヤを受信する。
【００８４】
図３に示される光伝送ネットワークにおいてフレキシブルイーサネットサービスを保持するための方法によれば、伝送側は、フレックスイーサネットサービスレイヤからフレックスイーサネットサービスを抽出することと、少なくとも２つのデータキューを取得すべく、フレックスイーサネットサービスに対してデータ分割を実行することと、各データキューをＯＴＮコンテナにマッピングすることであって、ＯＴＮコンテナは、ＯＤＵｋコンテナ又はＯＤＵｆｌｅｘコンテナを含む、マッピングすることと、ＯＴＮコンテナをＯＴＮネットワークに送信することと、を実行する。さらに、受信側は、ＯＴＮネットワークからＯＴＮコンテナを取得し、ＯＴＮコンテナからデータキューを取得し、フレックスイーサネットサービスを取得すべく、データキューにおけるデータを組み合わせ、フレックスイーサネットサービスをフレックスイーサネットサービスレイヤにマッピングし、フレックスイーサネットインタフェースを用いることによって、フレックスイーサネットサービスレイヤを受信する。これは、帯域幅の利用を向上させ、光伝送ネットワークのネットワーク構築コストを減少させることができる。
【００８５】
図４を参照すると、図４は、本発明の実施形態に係る、光伝送ネットワークにおいてフレキシブルイーサネットサービスを保持するための方法の模式的フローチャートである。図示されるように、本発明の本実施形態における、光伝送ネットワークにおいてフレキシブルイーサネットサービスを保持するための方法は、少なくとも以下の段階を含んでよい。
【００８６】
Ｓ４０１：伝送側は、フレックスイーサネットサービスレイヤからフレックスイーサネットサービスを抽出する。
【００８７】
Ｓ４０２：伝送側は、ＰＭＤチャネルを少なくとも２つの仮想連結コンテナに分割する。
【００８８】
任意選択的な実施形態において、伝送側は、ＰＭＤチャネルを、ＯＰＵｋ−Ｘｖ（Ｘ  ｖｉｒｔｕａｌｌｙ  ｃｏｎｃａｔｅｎａｔｅｄ  ＯＰＵｋ、Ｘの仮想連結光チャネルペイロードユニットｋ）方式で、少なくとも２つのＯＤＵｋ−Ｘｖ（Ｘ  ｖｉｒｔｕａｌｌｙ  ｃｏｎｃａｔｅｎａｔｅｄ  ＯＤＵｋ、Ｘの仮想連結光チャネルデータユニットｋ）コンテナに分割してよい。例えば、２つの４００ＧのＰＭＤチャネルが存在する。伝送側は、各ＰＭＤチャネルを８０の５Ｇの仮想連結ＯＤＵｋコンテナに分割してよい。
【００８９】
任意選択的な実施形態において、伝送側は、ＰＭＤチャネルを、Ｘ  ｖｉｒｔｕａｌｌｙ  ｃｏｎｃａｔｅｎａｔｅｄ  ＯＰＵｆｌｅｘ、Ｘの仮想連結フレキシブル光チャネルデータユニット（ＯＰＵｆｌｅｘ−Ｘｖ）方式で、少なくとも２つのＸ  ｖｉｒｔｕａｌｌｙ  ｃｏｎｃａｔｅｎａｔｅｄ  ＯＤＵｆｌｅｘ、Ｘの仮想連結フレキシブル光チャネルデータユニット（ＯＤＵｆｌｅｘ−Ｘｖ）コンテナに分割してよい。例えば、２つの４００ＧのＰＭＤチャネルが存在する。伝送側は、ＰＭＤチャネルを８０の５Ｇの仮想連結ＯＤＵｆｌｅｘコンテナに分割してよい。
【００９０】
任意選択的な実施形態において、伝送側は、ＰＭＤチャネルを少なくとも２つの仮想連結コンテナに分割してよい。仮想連結コンテナの数は、フレックスイーサネットサービスの数と同じである。例えば、フレックスイーサネットサービスレイヤは、２つの３００Ｇのフレックスイーサネットサービス及び１つの２００Ｇのフレックスイーサネットサービスを保持する。フレックスイーサネットサービスレイヤからフレックスイーサネットサービスを抽出した後で、伝送側は、２つの４００ＧのＰＭＤチャネルを、２つの３００Ｇの仮想連結コンテナ及び１つの２００Ｇの仮想連結コンテナに分割してよい。
【００９１】
Ｓ４０３：伝送側は、フレックスイーサネットサービスを少なくとも２つの仮想連結コンテナにマッピングする。
【００９２】
任意選択的な実施形態において、フレックスイーサネットサービスを少なくとも２つの仮想連結コンテナにマッピングした後で、伝送側は、仮想連結オーバヘッドを仮想連結コンテナの各々に付加してよい。例えば、図５は、仮想連結オーバヘッドの模式的構造図を示す。仮想連結情報は、ＯＤＵｆｌｅｘフレーム構造の１５番目の列に保持される。ＯＤＵｆｌｅｘコンテナのレートは、５Ｇのタイムスロットのｎ＊２３９／２３８倍であってよい（ｎは、正の整数であり、２３９／２３８は、ＯＰＵｆｌｅｘペイロードエリアからＯＰＵｆｌｅｘへのレートのファクタである）。マッピングは、同期マッピング方式で実行される。ｎの値に関して、ｎが１である場合、ＯＰＵｆｌｅｘ−Ｘｖによって保持されるフレックスイーサネットサービスの最大帯域幅は２５６＊５Ｇであり、これは、約１．２８Ｔである。より大きい帯域幅のフレックスイーサネットサービスが必要とされる場合、例えば、フレックスイーサネットサービスの帯域幅が１００Ｇより大きい場合、調整は、５０Ｇの粒度で実行されてよい。ｎの値は、１、２、５、１０等であってよく、フレックスイーサネットサービスの帯域幅は、１．２８Ｔ、２．５６Ｔ、６．４Ｔ、１２．８Ｔ等であってよい。このように、処理は単純であり、帯域幅の利用及び伝送効率が向上可能である。
【００９３】
Ｓ４０４：伝送側は、少なくとも２つの仮想連結コンテナを組み合わせてＯＴＮコンテナとし、ＯＴＮコンテナの数は、ＰＭＤチャネルの数と同じである。
【００９４】
Ｓ４０５：伝送側は、ＯＴＮコンテナをＯＴＮネットワークに送信する。
【００９５】
Ｓ４０６：受信側は、ＯＴＮネットワークからＯＴＮコンテナを取得する。
【００９６】
Ｓ４０７：受信側は、ＯＴＮコンテナを少なくとも２つの仮想連結コンテナに分割する。
【００９７】
Ｓ４０８：受信側は、少なくとも２つの仮想連結コンテナからフレックスイーサネットサービスを取得する。
【００９８】
具体的な実装において、仮想連結コンテナが仮想連結オーバヘッドを保持する場合、受信側は、仮想連結オーバヘッドに従って、仮想連結コンテナに対するタイムスロットアライメントを実行してよい。ＭＦＩ１、ＭＦＩ２、及びＭＦＡＳは、仮想連結コンテナに対するタイムスロットアライメントを実行するよう命令するために用いられる。本発明の本実施形態において、伝送プロセスに導入される仮想連結コンテナの間の遅延差は、仮想連結コンテナに対してタイムスロットアライメントを実行することによって、除去可能である。さらに、ＳＱは、各仮想連結コンテナの位置を決定し、データストリームの構成順序を決定するために用いられる。
【００９９】
Ｓ４０９：受信側は、フレックスイーサネットサービスをフレックスイーサネットサービスレイヤにマッピングする。
【０１００】
Ｓ４１０：受信側は、フレックスイーサネットインタフェースを用いることによって、フレックスイーサネットサービスレイヤを受信する。
【０１０１】
図４に示される光伝送ネットワークにおいてフレキシブルイーサネットサービスを保持するための方法によれば、伝送側は、フレックスイーサネットサービスレイヤからフレックスイーサネットサービスを抽出することと、ＯＰＵｋ−Ｘｖ方式で、ＰＭＤチャネルを少なくとも２つの仮想連結コンテナに分割することと、フレックスイーサネットサービスを少なくとも２つの仮想連結コンテナにマッピングすることと、少なくとも２つの仮想連結コンテナを組み合わせてＯＴＮコンテナとすることであって、ＯＴＮコンテナの数は、ＰＭＤチャネルの数と同じである、組み合わせてＯＴＮコンテナとすることと、ＯＴＮコンテナを光伝送ネットワークに送信することと、を実行する。受信側は、ＯＴＮネットワークからＯＴＮコンテナを取得し、ＯＴＮコンテナを少なくとも２つの仮想連結コンテナに分割し、少なくとも２つの仮想連結コンテナからフレックスイーサネットサービスを取得し、フレックスイーサネットサービスをフレックスイーサネットサービスレイヤにマッピングし、フレックスイーサネットインタフェースを用いることによって、フレックスイーサネットサービスレイヤを受信する。これは、帯域幅の利用を向上させ、光伝送ネットワークのネットワーク構築コストを減少させることができる。
【０１０２】
図６を参照すると、図６は、本発明の実施形態に係る端末デバイスの模式的構造図である。図６に示されるように、端末デバイスは、プロセッサ６０１、メモリ６０２、及びネットワークインタフェース６０３を含んでよい。プロセッサ６０１は、メモリ６０２及びネットワークインタフェース６０３に接続される。例えば、プロセッサ６０１は、バスを用いることによって、メモリ６０２及びネットワークインタフェース６０３に接続されてよい。
【０１０３】
プロセッサ６０１は、中央演算処理装置（ＣＰＵ）、ネットワークプロセッサ（ＮＰ）等であってよい。
【０１０４】
メモリ６０２は、具体的には、フレックスイーサネットサービス等を格納するように構成されてよい。メモリ６０２は、ランダムアクセスメモリ（ＲＡＭ）のような揮発性メモリ（ｖｏｌａｔｉｌｅ  ｍｅｍｏｒｙ）を含んでよい。又は、メモリ６０２は、リードオンリメモリ（ＲＯＭ）、フラッシュメモリ（ｆｌａｓｈ  ｍｅｍｏｒｙ）、ハードディスク（ＨＤＤ）、もしくはソリッドステートドライブ（ＳＳＤ）のような不揮発性メモリを含んでよい。又は、メモリ６０２は、前述のタイプのメモリの組み合わせを含んでよい。
【０１０５】
ネットワークインタフェース６０３は、受信側と通信を行う、例えば、ＯＴＮコンテナをＯＴＮネットワークに送信するように構成される。任意選択的に、ネットワークインタフェース６０３は、標準有線インタフェース、無線インタフェース（例えば、Ｗｉ−Ｆｉインタフェース）等を含んでよい。
【０１０６】
具体的には、本発明の本実施形態において説明される端末デバイスは、本発明において図３に関連して説明される、光伝送ネットワークにおいてフレキシブルイーサネットサービスを保持するための方法の実施形態におけるプロセスのいくつか又は全てを実装するように構成されてよい。
【０１０７】
図７を参照すると、図７は、本発明の実施形態に係る、光伝送ネットワークにおいてフレキシブルイーサネットサービスを保持するための装置の模式的構造図である。本発明の本実施形態において提供される、光伝送ネットワークにおいてフレキシブルイーサネットサービスを保持するための装置は、図６におけるプロセッサ６０１と組み合わせられてよい。図示されるように、本発明の本実施形態における、光伝送ネットワークにおいてフレキシブルイーサネットサービスを保持するための装置は、少なくともサービス抽出ユニット７０１、データ分割ユニット７０２、データマッピングユニット７０３、及びコンテナ送信ユニット７０４を含んでよい。
【０１０８】
サービス抽出ユニット７０１は、フレックスイーサネットサービスレイヤからフレックスイーサネットサービスを抽出するように構成される。
【０１０９】
データ分割ユニット７０２は、少なくとも２つのデータキューを取得すべく、フレックスイーサネットサービスに対してデータ分割を実行するように構成される。各データキューは、キュー識別子を保持する。
【０１１０】
データマッピングユニット７０３は、各データキューをＯＴＮコンテナにマッピングするように構成される。
【０１１１】
コンテナ送信ユニット７０４は、ＯＴＮコンテナをＯＴＮネットワークに送信するように構成される。
【０１１２】
任意選択的な実施形態において、サービス抽出ユニット７０１は、フレックスイーサネットサービスレイヤにおけるフレックスイーサネットサービスのタイムスロット分布に従って、フレックスイーサネットサービスレイヤからフレックスイーサネットサービスを抽出するように構成される。
【０１１３】
任意選択的な実施形態において、フレックスイーサネットサービスレイヤは、ポーリングによって、ＰＣＳタイムスロットに分配される。本発明の本実施形態における、光伝送ネットワークにおいてフレキシブルイーサネットサービスを保持するための装置は、
サービス抽出ユニット７０１がフレックスイーサネットサービスレイヤからフレックスイーサネットサービスを抽出する前に、ＰＣＳタイムスロットにおけるアライメントマーカキャラクタに従って、ＰＣＳタイムスロットに対するタイムスロットアライメントを実行するように構成されるタイムスロットアライメントユニット７０５と、
フレックスイーサネットサービスレイヤを取得すべく、ＰＣＳタイムスロットにおけるアライメントマーカキャラクタを削除するように構成されるキャラクタ削除ユニット７０６と、
をさらに含んでよい。
【０１１４】
さらに、任意選択的に、キャラクタ削除ユニット７０６は、具体的には、
ＰＣＳタイムスロットにおけるアライメントマーカキャラクタを削除し、
ＰＣＳタイムスロットによって保持されるサービスレイヤオーバヘッドに従って、そのアライメントマーカキャラクタが削除されたＰＣＳタイムスロットに対してオーバヘッドアライメントを実行し、
オーバヘッドアライメントによって取得されたＰＣＳタイムスロットから、フレックスイーサネットサービスを抽出する
ように構成される。
【０１１５】
任意選択的な実施形態において、本発明の本実施形態における、光伝送ネットワークにおいてフレキシブルイーサネットサービスを保持するための装置は、
サービス抽出ユニット７０１がフレックスイーサネットサービスレイヤからフレックスイーサネットサービスを抽出した後で、平均で２０４６０の６６Ｂコードブロック毎に、アイドルコードブロックをフレックスイーサネットサービスに挿入するように構成されるコードブロック挿入ユニット７０７
をさらに含んでよい。
【０１１６】
任意選択的な実施形態において、本発明の本実施形態における、光伝送ネットワークにおいてフレキシブルイーサネットサービスを保持するための装置は、
データ分割ユニット７０２が、少なくとも２つのデータキューを取得すべく、フレックスイーサネットサービスに対してデータ分割を実行した後で、１６３８３のサービスデータブロック毎に、制御コードを各データキューに挿入するように構成される制御コード挿入ユニット７０８であって、制御コードは、データキューに対するタイムスロットアライメントを実行するよう命令するために用いられる、制御コード挿入ユニット７０８
をさらに含んでよい。
【０１１７】
任意選択的な実施形態において、本発明の本実施形態における、光伝送ネットワークにおいてフレキシブルイーサネットサービスを保持するための装置は、
データ分割ユニット７０２が、少なくとも２つのデータキューを取得すべく、フレックスイーサネットサービスに対してデータ分割を実行した後で、タイムスロットデータキューの少なくとも１つのグループを取得すべく、少なくとも２つのデータキューに対してタイムスロットのグループ化を実行するように構成されるタイムスロットグループ化ユニット７０９と、
タイムスロットデータキューの各グループに対して、インタリーブを実行するように構成されるインタリーブユニット７１０と、
をさらに含んでよい。
【０１１８】
データマッピングユニット７０３は、インタリーブによって取得された各データストリームを、ＯＴＮコンテナにマッピングするようにさらに構成される。
【０１１９】
任意選択的に、タイムスロットグループ化ユニット７０９は、制御コード挿入ユニット７０８が、１６３８３のサービスデータブロック毎に、制御コードを各データキューに挿入した後で、タイムスロットデータキューの少なくとも１つのグループを取得すべく、少なくとも２つのデータキューに対して、タイムスロットのグループ化を実行するように構成される。
【０１２０】
インタリーブユニット７１０は、タイムスロットデータキューの各グループに対して、インタリーブを実行するように構成される。
【０１２１】
データマッピングユニット７０３は、インタリーブによって取得されたタイムスロットデータキューの各グループを、ＯＴＮコンテナにマッピングするようにさらに構成される。
【０１２２】
具体的には、本発明の本実施形態において説明される、光伝送ネットワークにおいてフレキシブルイーサネットサービスを保持するための装置は、本発明において図３に関連して説明される、光伝送ネットワークにおいてフレキシブルイーサネットサービスを保持するための方法の実施形態におけるプロセスのいくつか又は全てを実装するように構成されてよい。
【０１２３】
図８を参照すると、図８は、本発明の実施形態に係る端末デバイスの模式的構造図である。図８に示されるように、端末デバイスは、プロセッサ８０１、メモリ８０２、及びネットワークインタフェース８０３を含んでよい。プロセッサ８０１は、メモリ８０２及びネットワークインタフェース８０３に接続される。例えば、プロセッサ８０１は、バスを用いることによって、メモリ８０２及びネットワークインタフェース８０３に接続されてよい。
【０１２４】
プロセッサ８０１は、中央演算処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）等であってよい。
【０１２５】
メモリ８０２は、具体的には、フレックスイーサネットサービス等を格納するように構成されてよい。メモリ８０２は、ＲＡＭのような揮発性メモリを含んでよい。又は、メモリ８０２は、ＲＯＭ、フラッシュメモリ、ＨＤＤ、もしくはＳＳＤのような不揮発性メモリを含んでよい。又は、メモリ８０２は、前述のタイプのメモリの組み合わせを含んでよい。
【０１２６】
ネットワークインタフェース８０３は、受信側と通信を行う、例えば、ＯＴＮコンテナをＯＴＮネットワークに送信するように構成される。任意選択的に、ネットワークインタフェース８０３は、標準有線インタフェース、無線インタフェース（例えば、Ｗｉ−Ｆｉインタフェース）等を含んでよい。
【０１２７】
具体的には、本発明の本実施形態において説明される端末デバイスは、本発明において図４に関連して説明される、光伝送ネットワークにおいてフレキシブルイーサネットサービスを保持するための方法の実施形態におけるプロセスのいくつか又は全てを実装するように構成されてよい。
【０１２８】
図９を参照すると、図９は、本発明の実施形態に係る、光伝送ネットワークにおいてフレキシブルイーサネットサービスを保持するための装置の模式的構造図である。本発明の本実施形態において提供される、光伝送ネットワークにおいてフレキシブルイーサネットサービスを保持するための装置は、図８におけるプロセッサ８０１と組み合わせられてよい。図示されるように、本発明の本実施形態における、光伝送ネットワークにおいてフレキシブルイーサネットサービスを保持するための装置は、少なくともサービス抽出ユニット９０１、コンテナ分割ユニット９０２、サービスマッピングユニット９０３、コンテナ組み合わせユニット９０４、及びコンテナ送信ユニット９０５を含んでよい。
【０１２９】
サービス抽出ユニット９０１は、フレックスイーサネットサービスレイヤからフレックスイーサネットサービスを抽出するように構成される。
【０１３０】
コンテナ分割ユニット９０２は、ＰＭＤチャネルを少なくとも２つの仮想連結コンテナに分割するように構成される。
【０１３１】
サービスマッピングユニット９０３は、フレックスイーサネットサービスを少なくとも２つの仮想連結コンテナにマッピングするように構成される。
【０１３２】
コンテナ組み合わせユニット９０４は、少なくとも２つの仮想連結コンテナを組み合わせてＯＴＮコンテナとするように構成され、ＯＴＮコンテナの数は、ＰＭＤチャネルの数と同じである。
【０１３３】
コンテナ送信ユニット９０５は、ＯＴＮコンテナをＯＴＮネットワークに送信するように構成される。
【０１３４】
任意選択的な実施形態において、サービス抽出ユニット９０１は、フレックスイーサネットサービスレイヤにおけるフレックスイーサネットサービスのタイムスロット分布に従って、フレックスイーサネットサービスレイヤからフレックスイーサネットサービスを抽出するように構成される。
【０１３５】
任意選択的な実施形態において、フレックスイーサネットサービスレイヤは、ポーリングによって、ＰＣＳタイムスロットに分配される。本発明の本実施形態における、光伝送ネットワークにおいてフレキシブルイーサネットサービスを保持するための装置は、
サービス抽出ユニット９０１がフレックスイーサネットサービスレイヤからフレックスイーサネットサービスを抽出する前に、ＰＣＳタイムスロットにおけるアライメントマーカキャラクタに従って、ＰＣＳタイムスロットに対するタイムスロットアライメントを実行するように構成されるタイムスロットアライメントユニット９０６と、
フレックスイーサネットサービスレイヤを取得すべく、ＰＣＳタイムスロットにおけるアライメントマーカキャラクタを削除するように構成されるキャラクタ削除ユニット９０７と、
をさらに含んでよい。
【０１３６】
さらに、任意選択的に、キャラクタ削除ユニット９０７は、具体的には、
ＰＣＳタイムスロットにおけるアライメントマーカキャラクタを削除し、
ＰＣＳタイムスロットによって保持されるサービスレイヤオーバヘッドに従って、そのアライメントマーカキャラクタが削除されたＰＣＳタイムスロットに対してオーバヘッドアライメントを実行し、
オーバヘッドアライメントによって取得されたＰＣＳタイムスロットから、フレックスイーサネットサービスを抽出する
ように構成される。
【０１３７】
任意選択的な実施形態において、本発明の本実施形態における、光伝送ネットワークにおいてフレキシブルイーサネットサービスを保持するための装置は、
サービス抽出ユニット９０１がフレックスイーサネットサービスレイヤからフレックスイーサネットサービスを抽出した後で、平均で２０４６０の６６Ｂコードブロック毎に、アイドルコードブロックをフレックスイーサネットサービスに挿入するように構成されるコードブロック挿入ユニット９０８
をさらに含んでよい。
【０１３８】
具体的には、本発明の本実施形態において説明される、光伝送ネットワークにおいてフレキシブルイーサネットサービスを保持するための装置は、本発明において図４に関連して説明される、光伝送ネットワークにおいてフレキシブルイーサネットサービスを保持するための方法の実施形態におけるプロセスのいくつか又は全てを実装するように構成されてよい。
【０１３９】
図１０を参照すると、図１０は、本発明の実施形態に係る端末デバイスの模式的構造図である。図１０に示されるように、端末デバイスは、プロセッサ１００１、メモリ１００２、及びネットワークインタフェース１００３を含んでよい。プロセッサ１００１は、メモリ１００２及びネットワークインタフェース１００５に接続される。例えば、プロセッサ１００１は、バスを用いることによって、メモリ１００２及びネットワークインタフェース１００５に接続されてよい。
【０１４０】
プロセッサ１００１は、中央演算処理装置等であってよい。
【０１４１】
メモリ１００２は、具体的には、フレックスイーサネットサービス等を格納するように構成されてよい。メモリ１００２は、ランダムアクセスメモリのような揮発性メモリを含んでよい。又は、メモリ１００２は、リードオンリメモリ、フラッシュメモリ、ハードディスク、もしくはソリッドステートドライブのような不揮発性メモリを含んでよい。又は、メモリ１００２は、前述のタイプのメモリの組み合わせを含んでよい。
【０１４２】
ネットワークインタフェース１００３は、伝送側と通信を行う、例えば、光伝送ネットワークから光伝送ネットワークコンテナを取得するように構成される。任意選択的に、ネットワークインタフェース１００３は、標準有線インタフェース、無線インタフェース（例えば、Ｗｉ−Ｆｉインタフェース）等を含んでよい。
【０１４３】
具体的には、本発明の本実施形態において説明される端末デバイスは、本発明において図３に関連して説明される、光伝送ネットワークにおいてフレキシブルイーサネットサービスを保持するための方法の実施形態におけるプロセスのいくつか又は全てを実装するように構成されてよい。
【０１４４】
図１１を参照すると、図１１は、本発明の実施形態に係る、光伝送ネットワークにおいてフレキシブルイーサネットサービスを保持するための装置の模式的構造図である。本発明の本実施形態において提供される、光伝送ネットワークにおいてフレキシブルイーサネットサービスを保持するための装置は、図１０におけるプロセッサ１００１と組み合わせられてよい。図示されるように、本発明の本実施形態における、光伝送ネットワークにおいてフレキシブルイーサネットサービスを保持するための装置は、少なくともコンテナ取得ユニット１１０１、データ取得ユニット１１０２、データ組み合わせユニット１１０３、サービスマッピングユニット１１０４、及びサービスレイヤ受信ユニット１１０５を含んでよい。
【０１４５】
コンテナ取得ユニット１１０１は、ＯＴＮネットワークからＯＴＮコンテナを取得するように構成される。
【０１４６】
データ取得ユニット１１０２は、ＯＴＮコンテナからデータキューを取得するように構成される。各データキューは、キュー識別子を保持する。
【０１４７】
データ組み合わせユニット１１０３は、フレックスイーサネットサービスを取得すべく、キュー識別子に従って、データキューにおけるデータを組み合わせるように構成される。
【０１４８】
サービスマッピングユニット１１０４は、フレックスイーサネットサービスをフレックスイーサネットサービスレイヤにマッピングするように構成される。
【０１４９】
サービスレイヤ受信ユニット１１０５は、フレックスイーサネットインタフェースを用いることによって、フレックスイーサネットサービスレイヤを受信するように構成される。
【０１５０】
任意選択的な実施形態において、データ取得ユニット１１０２は、具体的には、
ＯＴＮコンテナから、インタリーブによって取得されたタイムスロットデータキューを取得し、
データキューを取得すべく、インタリーブによって取得されたタイムスロットデータキューに対して、デインタリーブを実行する
ように構成される。
【０１５１】
任意選択的な実施形態において、データキューは、制御コードを保持する。本発明の本実施形態におけるデータ取得ユニット１１０２は、具体的には、
データキューによって保持される制御コードに従って、データキューに対するタイムスロットアライメントを実行し、
データキューを取得すべく、データキューにおける制御コードを削除する
ように構成される。
【０１５２】
任意選択的な実施形態において、サービスマッピングユニット１１０４は、具体的には、
フレックスイーサネットサービスレイヤにおけるサービスレイヤオーバヘッドを取得することであって、サービスレイヤオーバヘッドは、フレックスイーサネットサービスを保持するＰＣＳに対するタイムスロット割り当てを実行するよう命令するために用いられる、取得することと、
サービスレイヤオーバヘッドに従って、ポーリングによって、フレックスイーサネットサービスを割り当てられたＰＣＳタイムスロットに分配することと、
を実行するように構成される。
【０１５３】
さらに、任意選択的に、本発明の本実施形態における、光伝送ネットワークにおいてフレキシブルイーサネットサービスを保持するための装置は、
サービスマッピングユニット１１０４が、サービスレイヤオーバヘッドに従って、ポーリングによって、フレックスイーサネットサービスを割り当てられたＰＣＳタイムスロットに分配した後で、各ＰＣＳタイムスロットの規定された位置に、アライメントマーカキャラクタを挿入し、少なくとも２つのＰＣＳタイムスロットに対するタイムスロットアライメントを実行するように構成されるキャラクタ挿入ユニット１１０６
をさらに含んでよい。
【０１５４】
具体的には、本発明の本実施形態において説明される、光伝送ネットワークにおいてフレキシブルイーサネットサービスを保持するための装置は、本発明において図３に関連して説明される、光伝送ネットワークにおいてフレキシブルイーサネットサービスを保持するための方法の実施形態におけるプロセスのいくつか又は全てを実装するように構成されてよい。
【０１５５】
図１２を参照すると、図１２は、本発明の実施形態に係る端末デバイスの模式的構造図である。図１２に示されるように、端末デバイスは、プロセッサ１２０１、メモリ１２０２、及びネットワークインタフェース１２０３を含んでよい。プロセッサ１２０１は、メモリ１２０２及びネットワークインタフェース１２０５に接続される。例えば、プロセッサ１２０１は、バスを用いることによって、メモリ１２０２及びネットワークインタフェース１２０５に接続されてよい。
【０１５６】
プロセッサ１２０１は、中央演算処理装置等であってよい。
【０１５７】
メモリ１２０２は、具体的には、フレックスイーサネットサービス等を格納するように構成されてよい。メモリ１２０２は、ランダムアクセスメモリのような揮発性メモリを含んでよい。又は、メモリ１２０２は、リードオンリメモリ、フラッシュメモリ、ハードディスク、もしくはソリッドステートドライブのような不揮発性メモリを含んでよい。又は、メモリ１２０２は、前述のタイプのメモリの組み合わせを含んでよい。
【０１５８】
ネットワークインタフェース１２０３は、伝送側と通信を行う、例えば、光伝送ネットワークから光伝送ネットワークコンテナを取得するように構成される。任意選択的に、ネットワークインタフェース１２０３は、標準有線インタフェース、無線インタフェース（例えば、Ｗｉ−Ｆｉインタフェース）等を含んでよい。
【０１５９】
具体的には、本発明の本実施形態において説明される端末デバイスは、本発明において図４に関連して説明される、光伝送ネットワークにおいてフレキシブルイーサネットサービスを保持するための方法の実施形態におけるプロセスのいくつか又は全てを実装するように構成されてよい。
【０１６０】
図１３を参照すると、図１３は、本発明の実施形態に係る、光伝送ネットワークにおいてフレキシブルイーサネットサービスを保持するための装置の模式的構造図である。本発明の本実施形態において提供される、光伝送ネットワークにおいてフレキシブルイーサネットサービスを保持するための装置は、図１２におけるプロセッサ１２０１と組み合わせられてよい。図示されるように、本発明の本実施形態における、光伝送ネットワークにおいてフレキシブルイーサネットサービスを保持するための装置は、少なくともコンテナ取得ユニット１３０１、コンテナ分割ユニット１３０２、サービス取得ユニット１３０３、サービスマッピングユニット１３０４、又はサービスレイヤ受信ユニット１３０５を含んでよい。
【０１６１】
コンテナ取得ユニット１３０１は、ＯＴＮネットワークからＯＴＮコンテナを取得するように構成される。
【０１６２】
コンテナ分割ユニット１３０２は、ＯＴＮコンテナを少なくとも２つの仮想連結コンテナに分割するように構成される。
【０１６３】
サービス取得ユニット１３０３は、少なくとも２つの仮想連結コンテナからフレックスイーサネットサービスを取得するように構成される。
【０１６４】
サービスマッピングユニット１３０４は、フレックスイーサネットサービスをフレックスイーサネットサービスレイヤにマッピングするように構成される。
【０１６５】
サービスレイヤ受信ユニット１３０５は、フレックスイーサネットインタフェースを用いることによって、フレックスイーサネットサービスレイヤを受信するように構成される。
【０１６６】
任意選択的な実施形態において、サービスマッピングユニット１３０４は、具体的には、
フレックスイーサネットサービスレイヤにおけるサービスレイヤオーバヘッドを取得することであって、サービスレイヤオーバヘッドは、フレックスイーサネットサービスを保持するＰＣＳに対するタイムスロット割り当てを実行するよう命令するために用いられる、取得することと、
サービスレイヤオーバヘッドに従って、ポーリングによって、フレックスイーサネットサービスを割り当てられたＰＣＳタイムスロットに分配することと、
を実行するように構成される。
【０１６７】
任意選択的な実施形態において、本発明の本実施形態における、光伝送ネットワークにおいてフレキシブルイーサネットサービスを保持するための装置は、
サービスマッピングユニット１３０４が、サービスレイヤオーバヘッドに従って、ポーリングによって、フレックスイーサネットサービスを割り当てられたＰＣＳタイムスロットに分配した後で、各ＰＣＳタイムスロットの規定された位置に、ＡＭキャラクタを挿入し、少なくとも２つのＰＣＳタイムスロットに対するタイムスロットアライメントを実行するように構成されるキャラクタ挿入ユニット１３０６
をさらに含んでよい。
【０１６８】
具体的には、本発明の本実施形態において説明される、光伝送ネットワークにおいてフレキシブルイーサネットサービスを保持するための装置は、本発明において図４に関連して説明される、光伝送ネットワークにおいてフレキシブルイーサネットサービスを保持するための方法の実施形態におけるプロセスのいくつか又は全てを実装するように構成されてよい。
【０１６９】
本明細書の説明において、「実施形態」、「いくつかの実施形態」、「例」、「具体例」、「いくつかの例」等の参照用語は、実施形態又は例に関連して説明される具体的な機能、構造、材料、又は特徴が、本発明の少なくとも１つの実施形態又は例に含まれることを意味する。本明細書において、用語の前述された例示的表現は、必ずしも、同じ実施形態又は例に関連するものではない。さらに、説明された具体的な機能、構造、材料、又は特徴は、実施形態又は例のいずれか１つ又は複数において、適切な方式で組み合わせられてよい。さらに、当業者であれば、本明細書において説明される異なる実施形態又は例及び異なる実施形態又は例の特徴を、これらが互いに矛盾しない限りにおいて、統合又は組み合わせることができよう。
【０１７０】
さらに、「第１」及び「第２」という用語は、説明目的を意図したものに過ぎず、相対的重要性を指示もしくは示唆するもの、又は示された技術的特徴の数を暗示的に指示するものとして理解されるべきではない。従って、「第１」又は「第２」によって限定される特徴は、当該特徴の少なくとも１つを、明示的又は暗示的に含んでよい。本発明の説明において、「複数」は、具体的な限定が特定しない限り、２、３、又はそれより多くの数のような、少なくとも２つを意味する。
【０１７１】
フローチャートに示される、又は他の方式で本明細書において説明されるロジック及び／又は段階は、例えば、ロジック機能を実装するために用いられる実行可能命令のプログラムリストとみなされてよく、具体的には、命令実行システム、装置、又はデバイス（例えば、コンピュータベースのシステム、プロセッサを含むシステム、又は命令実行システム、装置、もしくはデバイスからの命令をフェッチし、当該命令を実行することが可能な他のシステム）が用いるために、又は、命令実行システム、装置、もしくはデバイスの組み合わせが用いるために、任意のコンピュータ可読媒体において実装されてよい。本明細書の観点において、「コンピュータ可読媒体」は、命令実行システム、装置、もしくはデバイスが用いるために、又は、命令実行システム、装置、もしくはデバイスの組み合わせが用いるために、プログラムを包含、格納、通信、伝搬、又は伝送し得る任意の装置であってよい。コンピュータ可読媒体のより具体的な例（このリストは包括的ではない）は、以下の例、すなわち、１つ又は複数のバスを有する電気的部分（電気的装置）、ポータブルコンピュータカートリッジ（磁気的装置）、ランダムアクセスメモリ、リードオンリメモリ、電気的消去可能プログラマブルリードオンリメモリ、光ファイバ装置、及びコンパクトディスクリードオンリメモリを含む。さらに、コンピュータ可読媒体は、プログラムが印刷可能な紙又は他の適切な媒体でさえよい。例えば、光スキャンが紙又は他の媒体に対して実行されてよいので、必要な場合には編集、デコード、又は他の適切な手段のような処理が、電気的方式でプログラムを取得するために実行されてよく、次に、プログラムは、コンピュータメモリに格納される。
【０１７２】
本発明の一部は、ハードウェア、ソフトウェア、ファームウェア、又はこれらの組み合わせを用いることによって実装されてよいことを理解されたい。前述の実装方式において、複数の段階又は方法は、メモリに格納された、適切な命令実行システムによって実行されるソフトウェア又はファームウェアを用いることによって、実装されてよい。例えば、他の実装方式における実装と同様に、ハードウェアが実装のために用いられる場合、当技術分野における以下の周知技術、すなわち、データシグナリングのためのロジック機能を実装するために用いられる論理ゲート回路を有するディスクリート論理回路、適切な組み合わせ論理回路を有する特定用途向け集積回路、プログラマブルゲートアレイ、フィールドプログラマブルゲートアレイ等の任意の事項又は組み合わせが、実装のために用いられてよい。
【０１７３】
本発明の実施形態におけるモジュールは、ハードウェアの形で実装されてよく、又はソフトウェア機能モジュールの形で実装されてよい。統合モジュールがソフトウェア機能モジュールの形で実装され、個別の製品として販売又は利用される場合、統合ユニットは、コンピュータ可読記憶媒体に格納されてよい。
【０１７４】
本発明の実施形態が図示及び上述されたが、前述の実施形態は例であって、本発明に対する限定と解されてはならないことが理解されよう。本発明の範囲内において、当業者であれば、前述の実施形態に対して変更、変形、置換、及びバリエーションを施すことができよう。
［項目１］
光伝送ネットワークにおいてフレキシブルイーサネットサービスを保持するための方法であって、
フレキシブルイーサネットサービスレイヤからフレキシブルイーサネットサービスを抽出する段階と、
少なくとも２つのデータキューを取得すべく、上記フレキシブルイーサネットサービスに対してデータ分割を実行する段階であって、各データキューは、キュー識別子を保持する、段階と、
各データキューを光伝送ネットワークコンテナにマッピングする段階であって、上記光伝送ネットワークコンテナは、光チャネルデータユニットｋコンテナ又は光チャネルデータユニットフレキシブルコンテナを含む、段階と、
上記光伝送ネットワークコンテナを光伝送ネットワークに送信する段階と、
を備える方法。
［項目２］
フレキシブルイーサネットサービスレイヤからフレキシブルイーサネットサービスを抽出する上記段階は、
上記フレキシブルイーサネットサービスレイヤにおける上記フレキシブルイーサネットサービスのタイムスロット分布に従って、上記フレキシブルイーサネットサービスレイヤから上記フレキシブルイーサネットサービスを抽出する段階
を含む、項目１に記載の方法。
［項目３］
上記フレキシブルイーサネットサービスレイヤは、ポーリングによって、物理コーディングサブレイヤタイムスロットに分配され、
フレキシブルイーサネットサービスレイヤからフレキシブルイーサネットサービスを抽出する上記段階の前に、上記方法は、
上記物理コーディングサブレイヤタイムスロットにおけるアライメントマーカキャラクタに従って、上記物理コーディングサブレイヤタイムスロットに対してタイムスロットアライメントを実行する段階と、
上記フレキシブルイーサネットサービスレイヤを取得すべく、上記物理コーディングサブレイヤタイムスロットにおける上記アライメントマーカキャラクタを削除する段階と、
をさらに備える、項目１又は２に記載の方法。
［項目４］
上記フレキシブルイーサネットサービスレイヤを取得すべく、上記物理コーディングサブレイヤタイムスロットにおける上記アライメントマーカキャラクタを削除する上記段階は、
上記物理コーディングサブレイヤタイムスロットにおける上記アライメントマーカキャラクタを削除する段階と、
上記物理コーディングサブレイヤタイムスロットによって保持されるサービスレイヤオーバヘッドに従って、そのアライメントマーカキャラクタが削除された上記物理コーディングサブレイヤタイムスロットに対してオーバヘッドアライメントを実行する段階と、
オーバヘッドアライメントによって取得された上記物理コーディングサブレイヤタイムスロットから、上記フレキシブルイーサネットサービスを抽出する段階と、
を含む、項目３に記載の方法。
［項目５］
フレキシブルイーサネットサービスレイヤからフレキシブルイーサネットサービスを抽出する上記段階の後で、
平均で２０４６０の６６Ｂコードブロック毎に、アイドルコードブロックを上記フレキシブルイーサネットサービスに挿入する段階
をさらに備える、項目１から４のいずれか１項に記載の方法。
［項目６］
少なくとも２つのデータキューを取得すべく、上記フレキシブルイーサネットサービスに対してデータ分割を実行する上記段階の後で、
１６３８３のサービスデータブロック毎に、制御コードを各データキューに挿入する段階であって、上記制御コードは、上記データキューに対するタイムスロットアライメントを実行するよう命令するために用いられる、段階
をさらに備える、項目１から５のいずれか１項に記載の方法。
［項目７］
少なくとも２つのデータキューを取得すべく、上記フレキシブルイーサネットサービスに対してデータ分割を実行する上記段階の後で、
タイムスロットデータキューの少なくとも２つのグループを取得すべく、上記少なくとも２つのデータキューに対してタイムスロットのグループ化を実行する段階であって、タイムスロットデータキューの各グループは、少なくとも１つのデータキューを含む、段階と、
データストリームを取得すべく、タイムスロットデータキューの各グループに対してインタリーブを実行する段階と、
をさらに備え、
各データキューを光伝送ネットワークコンテナにマッピングする上記段階は、
インタリーブによって取得された各データストリームを光伝送ネットワークコンテナにマッピングする段階
を含む、項目１から６のいずれか１項に記載の方法。
［項目８］
光伝送ネットワークにおいてフレキシブルイーサネットサービスを保持するための方法であって、
フレキシブルイーサネットサービスレイヤからフレキシブルイーサネットサービスを抽出する段階と、
物理媒体依存サブレイヤチャネルを少なくとも２つの仮想連結コンテナに分割する段階であって、上記仮想連結コンテナは、光チャネルデータユニットｋ仮想連結コンテナ又は光チャネルデータユニットフレキシブル仮想連結コンテナを含む、段階と、
上記フレキシブルイーサネットサービスを上記少なくとも２つの仮想連結コンテナにマッピングする段階と、
上記少なくとも２つの仮想連結コンテナを組み合わせて上記光伝送ネットワークコンテナにする段階であって、上記光伝送ネットワークコンテナの数は、上記物理媒体依存サブレイヤチャネルの数と同じである、段階と、
上記光伝送ネットワークコンテナを光伝送ネットワークに送信する段階と、
を備える方法。
［項目９］
フレキシブルイーサネットサービスレイヤからフレキシブルイーサネットサービスを抽出する上記段階は、
上記フレキシブルイーサネットサービスレイヤにおける上記フレキシブルイーサネットサービスのタイムスロット分布に従って、上記フレキシブルイーサネットサービスレイヤから上記フレキシブルイーサネットサービスを抽出する段階
を含む、項目８に記載の方法。
［項目１０］
上記フレキシブルイーサネットサービスレイヤは、ポーリングによって、物理コーディングサブレイヤタイムスロットに分配され、
フレキシブルイーサネットサービスレイヤからフレキシブルイーサネットサービスを抽出する上記段階の前に、上記方法は、
上記物理コーディングサブレイヤタイムスロットにおけるアライメントマーカキャラクタに従って、上記物理コーディングサブレイヤタイムスロットに対してタイムスロットアライメントを実行する段階と、
上記フレキシブルイーサネットサービスレイヤを取得すべく、上記物理コーディングサブレイヤタイムスロットにおける上記アライメントマーカキャラクタを削除する段階と、
をさらに備える、項目８又は９に記載の方法。
［項目１１］
上記フレキシブルイーサネットサービスレイヤを取得すべく、上記物理コーディングサブレイヤタイムスロットにおける上記アライメントマーカキャラクタを削除する上記段階は、
上記物理コーディングサブレイヤタイムスロットにおける上記アライメントマーカキャラクタを削除する段階と、
上記物理コーディングサブレイヤタイムスロットによって保持されるサービスレイヤオーバヘッドに従って、そのアライメントマーカキャラクタが削除された上記物理コーディングサブレイヤタイムスロットに対してオーバヘッドアライメントを実行する段階と、
オーバヘッドアライメントによって取得された上記物理コーディングサブレイヤタイムスロットから、上記フレキシブルイーサネットサービスを抽出する段階と、
を含む、項目１０に記載の方法。
［項目１２］
フレキシブルイーサネットサービスレイヤからフレキシブルイーサネットサービスを抽出する上記段階の後で、
平均で２０４６０の６６Ｂコードブロック毎に、アイドルコードブロックを上記フレキシブルイーサネットサービスに挿入する段階
をさらに備える、項目８から１１のいずれか１項に記載の方法。
［項目１３］
光伝送ネットワークにおいてフレキシブルイーサネットサービスを保持するための方法であって、
光伝送ネットワークから光伝送ネットワークコンテナを取得する段階であって、上記光伝送ネットワークコンテナは、光チャネルデータユニットｋコンテナ又は光チャネルデータユニットフレキシブルコンテナを含む、段階と、
上記光伝送ネットワークコンテナからデータキューを取得する段階であって、各データキューは、キュー識別子を保持する、段階と、
フレキシブルイーサネットサービスを取得すべく、上記キュー識別子に従って、上記データキューに対してデータの組み合わせを実行する段階と、
上記フレキシブルイーサネットサービスをフレキシブルイーサネットサービスレイヤにマッピングする段階と、
フレキシブルイーサネットインタフェースを用いることによって、上記フレキシブルイーサネットサービスレイヤを受信する段階と、
を備える、方法。
［項目１４］
上記光伝送ネットワークコンテナからデータキューを取得する上記段階は、
上記光伝送ネットワークコンテナから、インタリーブによって取得されたデータストリームを取得する段階と、
上記タイムスロットデータキューを取得すべく、インタリーブによって取得された上記データストリームに対してデインタリーブを実行する段階と、
上記タイムスロットデータキューから上記データキューを取得する段階と、
を含む、項目１３に記載の方法。
［項目１５］
上記データキューは、制御コードを保持し、
上記光伝送ネットワークコンテナからデータキューを取得する上記段階は、
上記データキューによって保持される上記制御コードに従って、上記データキューに対してタイムスロットアライメントを実行する段階と、
上記データキューを取得すべく、上記データキューにおける上記制御コードを削除する段階と、
を含む、項目１３又は１４に記載の方法。
［項目１６］
上記フレキシブルイーサネットサービスをフレキシブルイーサネットサービスレイヤにマッピングする上記段階は、
上記フレキシブルイーサネットサービスレイヤのサービスレイヤオーバヘッドを取得する段階であって、上記サービスレイヤオーバヘッドは、上記フレキシブルイーサネットサービスを保持する物理コーディングサブレイヤに対するタイムスロット割り当てを実行するよう命令するために用いられる、段階と、
上記サービスレイヤオーバヘッドに従って、ポーリングによって、上記フレキシブルイーサネットサービスを割り当てられた物理コーディングサブレイヤタイムスロットに分配する、段階と、
を含む、項目１３から１５のいずれか１項に記載の方法。
［項目１７］
上記サービスレイヤオーバヘッドに従って、ポーリングによって、上記フレキシブルイーサネットサービスを割り当てられた物理コーディングサブレイヤタイムスロットに分配する上記段階の後で、
上記少なくとも２つの物理コーディングサブレイヤタイムスロットに対するタイムスロットアライメントを実行すべく、各物理コーディングサブレイヤタイムスロットの規定された位置に、アライメントマーカキャラクタを挿入する段階
をさらに備える、項目１６に記載の方法。
［項目１８］
光伝送ネットワークにおいてフレキシブルイーサネットサービスを保持するための方法であって、
光伝送ネットワークから光伝送ネットワークコンテナを取得する段階であって、上記光伝送ネットワークコンテナは、光チャネルデータユニットｋコンテナ又は光チャネルデータユニットフレキシブルコンテナを含む、段階と、
上記光伝送ネットワークコンテナを少なくとも２つの仮想連結コンテナに分割する段階と、
上記少なくとも２つの仮想連結コンテナから上記フレキシブルイーサネットサービスを取得する段階と、
上記フレキシブルイーサネットサービスをフレキシブルイーサネットサービスレイヤにマッピングする段階と、
フレキシブルイーサネットインタフェースを用いることによって、上記フレキシブルイーサネットサービスレイヤを受信する段階と、
を備える方法。
［項目１９］
上記フレキシブルイーサネットサービスをフレキシブルイーサネットサービスレイヤにマッピングする上記段階は、
上記フレキシブルイーサネットサービスレイヤのサービスレイヤオーバヘッドを取得する段階であって、上記サービスレイヤオーバヘッドは、上記フレキシブルイーサネットサービスを保持する物理コーディングサブレイヤに対するタイムスロット割り当てを実行するよう命令するために用いられる、段階と、
上記サービスレイヤオーバヘッドに従って、ポーリングによって、上記フレキシブルイーサネットサービスを割り当てられた物理コーディングサブレイヤタイムスロットに分配する、段階と、
を含む、項目１８に記載の方法。
［項目２０］
上記サービスレイヤオーバヘッドに従って、ポーリングによって、上記フレキシブルイーサネットサービスを割り当てられた物理コーディングサブレイヤタイムスロットに分配する上記段階の後で、
上記少なくとも２つの物理コーディングサブレイヤタイムスロットに対するタイムスロットアライメントを実行すべく、各物理コーディングサブレイヤタイムスロットの規定された位置に、アライメントマーカキャラクタを挿入する段階
をさらに備える、項目１９に記載の方法。
［項目２１］
光伝送ネットワークにおいてフレキシブルイーサネットサービスを保持するための装置であって、
フレキシブルイーサネットサービスレイヤからフレキシブルイーサネットサービスを抽出するように構成されるサービス抽出ユニットと、
少なくとも２つのデータキューを取得すべく、上記フレキシブルイーサネットサービスに対してデータ分割を実行するように構成されるデータ分割ユニットであって、各データキューは、キュー識別子を保持する、データ分割ユニットと、
各データキューを光伝送ネットワークコンテナにマッピングするように構成されるデータマッピングユニットであって、上記光伝送ネットワークコンテナは、光チャネルデータユニットｋコンテナ又は光チャネルデータユニットフレキシブルコンテナを含む、データマッピングユニットと、
上記光伝送ネットワークコンテナを光伝送ネットワークに送信するように構成されるコンテナ送信ユニットと、
を備える装置。
［項目２２］
上記サービス抽出ユニットは、上記フレキシブルイーサネットサービスレイヤにおける上記フレキシブルイーサネットサービスのタイムスロット分布に従って、上記フレキシブルイーサネットサービスレイヤから上記フレキシブルイーサネットサービスを抽出するように構成される、
項目２１に記載の装置。
［項目２３］
上記フレキシブルイーサネットサービスレイヤは、ポーリングによって、物理コーディングサブレイヤタイムスロットに分配され、
上記装置は、
上記サービス抽出ユニットが上記フレキシブルイーサネットサービスレイヤから上記フレキシブルイーサネットサービスを抽出する前に、上記物理コーディングサブレイヤタイムスロットにおけるアライメントマーカキャラクタに従って、上記物理コーディングサブレイヤタイムスロットに対するタイムスロットアライメントを実行するように構成されるタイムスロットアライメントユニットと、
上記フレキシブルイーサネットサービスレイヤを取得すべく、上記物理コーディングサブレイヤタイムスロットにおける上記アライメントマーカキャラクタを削除するように構成されるキャラクタ削除ユニットと、
をさらに備える、項目２１又は２２に記載の装置。
［項目２４］
上記キャラクタ削除ユニットは、具体的には、
上記物理コーディングサブレイヤタイムスロットにおける上記アライメントマーカキャラクタを削除し、
上記物理コーディングサブレイヤタイムスロットによって保持されるサービスレイヤオーバヘッドに従って、そのアライメントマーカキャラクタが削除された上記物理コーディングサブレイヤタイムスロットに対してオーバヘッドアライメントを実行し、
オーバヘッドアライメントによって取得された上記物理コーディングサブレイヤタイムスロットから、上記フレキシブルイーサネットサービスを抽出する
ように構成される、項目２３に記載の装置。
［項目２５］
上記装置は、
上記サービス抽出ユニットが上記フレキシブルイーサネットサービスレイヤから上記フレキシブルイーサネットサービスを抽出した後で、平均で２０４６０の６６Ｂコードブロック毎に、アイドルコードブロックを上記フレキシブルイーサネットサービスに挿入するように構成されるコードブロック挿入ユニット
をさらに備える、項目２１から２４のいずれか１項に記載の装置。
［項目２６］
上記装置は、
上記データ分割ユニットが、上記少なくとも２つのデータキューを取得すべく、上記フレキシブルイーサネットサービスに対してデータ分割を実行した後で、１６３８３のサービスデータブロック毎に、制御コードを各データキューに挿入するように構成される制御コード挿入ユニットであって、上記制御コードは、上記データキューに対するタイムスロットアライメントを実行するよう命令するために用いられる、制御コード挿入ユニット
をさらに備える、項目２１から２５のいずれか１項に記載の装置。
［項目２７］
上記装置は、
上記データ分割ユニットが、上記少なくとも２つのデータキューを取得すべく、上記フレキシブルイーサネットサービスに対してデータ分割を実行した後で、タイムスロットデータキューの少なくとも２つのグループを取得すべく、上記少なくとも２つのデータキューに対してタイムスロットのグループ化を実行するように構成されるタイムスロットグループ化ユニットであって、タイムスロットデータキューの各グループは、少なくとも１つのデータキューを含む、タイムスロットグループ化ユニットと、
データストリームを取得すべく、タイムスロットデータキューの各グループに対してインタリーブを実行するように構成されるインタリーブユニットと、
をさらに備え、
上記データマッピングユニットは、さらに、インタリーブによって取得された各データストリームを光伝送ネットワークコンテナにマッピングするように構成される、
項目２１から２６のいずれか１項に記載の装置。
［項目２８］
光伝送ネットワークにおいてフレキシブルイーサネットサービスを保持するための装置であって、
フレキシブルイーサネットサービスレイヤからフレキシブルイーサネットサービスを抽出するように構成されるサービス抽出ユニットと、
物理媒体依存サブレイヤチャネルを少なくとも２つの仮想連結コンテナに分割するように構成されるコンテナ分割ユニットであって、上記仮想連結コンテナは、光チャネルデータユニットｋ仮想連結コンテナ又は光チャネルデータユニットフレキシブル仮想連結コンテナを含む、コンテナ分割ユニットと、
上記フレキシブルイーサネットサービスを上記少なくとも２つの仮想連結コンテナにマッピングするように構成されるサービスマッピングユニットと、
上記少なくとも２つの仮想連結コンテナを組み合わせて上記光伝送ネットワークコンテナとするように構成されるコンテナ組み合わせユニットであって、上記光伝送ネットワークコンテナの数は、上記物理媒体依存サブレイヤチャネルの数と同じである、コンテナ組み合わせユニットと、
上記光伝送ネットワークコンテナを光伝送ネットワークに送信するように構成されるコンテナ送信ユニットと、
を備える装置。
［項目２９］（削除）
上記サービス抽出ユニットは、上記フレキシブルイーサネットサービスレイヤにおける上記フレキシブルイーサネットサービスのタイムスロット分布に従って、上記フレキシブルイーサネットサービスレイヤから上記フレキシブルイーサネットサービスを抽出するように構成される、
項目２８に記載の装置。
［項目３０］（削除）
上記フレキシブルイーサネットサービスレイヤは、ポーリングによって、物理コーディングサブレイヤタイムスロットに分配され、
上記装置は、
上記サービス抽出ユニットが上記フレキシブルイーサネットサービスレイヤから上記フレキシブルイーサネットサービスを抽出する前に、上記物理コーディングサブレイヤタイムスロットにおけるアライメントマーカキャラクタに従って、上記物理コーディングサブレイヤタイムスロットに対するタイムスロットアライメントを実行するように構成されるタイムスロットアライメントユニットと、
上記フレキシブルイーサネットサービスレイヤを取得すべく、上記物理コーディングサブレイヤタイムスロットにおける上記アライメントマーカキャラクタを削除するように構成されるキャラクタ削除ユニットと、
をさらに備える、項目２８又は２９に記載の装置。
［項目３１］（削除）
上記キャラクタ削除ユニットは、具体的には、
上記物理コーディングサブレイヤタイムスロットにおける上記アライメントマーカキャラクタを削除し、
上記物理コーディングサブレイヤタイムスロットによって保持されるサービスレイヤオーバヘッドに従って、そのアライメントマーカキャラクタが削除された上記物理コーディングサブレイヤタイムスロットに対してオーバヘッドアライメントを実行し、
オーバヘッドアライメントによって取得された上記物理コーディングサブレイヤタイムスロットから、上記フレキシブルイーサネットサービスを抽出する
ように構成される、項目２０に記載の装置。
［項目３２］（削除）
上記装置は、
上記サービス抽出ユニットが上記フレキシブルイーサネットサービスレイヤから上記フレキシブルイーサネットサービスを抽出した後で、平均で２０４６０の６６Ｂコードブロック毎に、アイドルコードブロックを上記フレキシブルイーサネットサービスに挿入するように構成されるコードブロック挿入ユニット
をさらに備える、項目２８から３１のいずれか１項に記載の装置。
［項目３３］（削除）
光伝送ネットワークにおいてフレキシブルイーサネットサービスを保持するための装置であって、
光伝送ネットワークから光伝送ネットワークコンテナを取得するように構成されるコンテナ取得ユニットであって、上記光伝送ネットワークコンテナは、光チャネルデータユニットｋコンテナ又は光チャネルデータユニットフレキシブルコンテナを含む、コンテナ取得ユニットと、
上記光伝送ネットワークコンテナからデータキューを取得するように構成されるデータ取得ユニットであって、各データキューは、キュー識別子を保持する、データ取得ユニットと、
フレキシブルイーサネットサービスを取得すべく、上記キュー識別子に従って、上記データキューにおけるデータを組み合わせるように構成されるデータ組み合わせユニットと、
上記フレキシブルイーサネットサービスをフレキシブルイーサネットサービスレイヤにマッピングするように構成されるサービスマッピングユニットと、
フレキシブルイーサネットインタフェースを用いることによって、上記フレキシブルイーサネットサービスレイヤを受信するように構成されるサービスレイヤ受信ユニットと、
を備える装置。
［項目３４］（削除）
上記データ取得ユニットは、具体的には、
上記光伝送ネットワークコンテナから、インタリーブによって取得されたデータストリームを取得し、
上記タイムスロットデータキューを取得すべく、インタリーブによって取得された上記データストリームに対してデインタリーブを実行し、
上記タイムスロットデータキューから上記データキューを取得する、
ように構成される、項目３３に記載の装置。
［項目３５］（削除）
上記データキューは、制御コードを保持し、
上記データ取得ユニットは、具体的には、
上記データキューによって保持される上記制御コードに従って、上記データキューに対するタイムスロットアライメントを実行し、
上記データキューを取得すべく、上記データキューにおける上記制御コードを削除する
ように構成される、項目３３又は３４に記載の装置。
［項目３６］（削除）
上記サービスマッピングユニットは、具体的には、
上記フレキシブルイーサネットサービスレイヤのサービスレイヤオーバヘッドを取得することであって、上記サービスレイヤオーバヘッドは、上記フレキシブルイーサネットサービスを保持する物理コーディングサブレイヤに対するタイムスロット割り当てを実行するよう命令するために用いられる、取得することと、
上記サービスレイヤオーバヘッドに従って、ポーリングによって、上記フレキシブルイーサネットサービスを割り当てられた物理コーディングサブレイヤタイムスロットに分配することと、
を実行するように構成される、項目３３から３５のいずれか１項に記載の装置。
［項目３７］（削除）
上記装置は、
上記サービスマッピングユニットが、上記サービスレイヤオーバヘッドに従って、ポーリングによって、上記フレキシブルイーサネットサービスを上記割り当てられた物理コーディングサブレイヤタイムスロットに分配した後で、上記少なくとも２つの物理コーディングサブレイヤタイムスロットに対してタイムスロットアライメントを実行すべく、各物理コーディングサブレイヤタイムスロットの規定された位置にアライメントマーカキャラクタを挿入するように構成されるキャラクタ挿入ユニット
をさらに備える、項目３６に記載の装置。
［項目３８］（削除）
光伝送ネットワークにおいてフレキシブルイーサネットサービスを保持するための装置であって、
光伝送ネットワークから光伝送ネットワークコンテナを取得するように構成されるコンテナ取得ユニットであって、上記光伝送ネットワークコンテナは、光チャネルデータユニットｋコンテナ又は光チャネルデータユニットフレキシブルコンテナを含む、コンテナ取得ユニットと、
上記光伝送ネットワークコンテナを少なくとも２つの仮想連結コンテナに分割するように構成されるコンテナ分割ユニットと、
上記少なくとも２つの仮想連結コンテナから上記フレキシブルイーサネットサービスを取得するように構成されるサービス取得ユニットと、
上記フレキシブルイーサネットサービスをフレキシブルイーサネットサービスレイヤにマッピングするように構成されるサービスマッピングユニットと、
フレキシブルイーサネットインタフェースを用いることによって、上記フレキシブルイーサネットサービスレイヤを受信するように構成されるサービスレイヤ受信ユニットと、
を備える装置。
［項目３９］（削除）
上記サービスマッピングユニットは、具体的には、
上記フレキシブルイーサネットサービスレイヤのサービスレイヤオーバヘッドを取得することであって、上記サービスレイヤオーバヘッドは、上記フレキシブルイーサネットサービスを保持する物理コーディングサブレイヤに対するタイムスロット割り当てを実行するよう命令するために用いられる、取得することと、
上記サービスレイヤオーバヘッドに従って、ポーリングによって、上記フレキシブルイーサネットサービスを割り当てられた物理コーディングサブレイヤタイムスロットに分配することと、
を実行するように構成される、項目３８に記載の装置。
［項目４０］（削除）
上記装置は、
上記サービスマッピングユニットが、上記サービスレイヤオーバヘッドに従って、ポーリングによって、上記フレキシブルイーサネットサービスを上記割り当てられた物理コーディングサブレイヤタイムスロットに分配した後で、上記少なくとも２つの物理コーディングサブレイヤタイムスロットに対してタイムスロットアライメントを実行すべく、各物理コーディングサブレイヤタイムスロットの規定された位置にアライメントマーカキャラクタを挿入するように構成されるキャラクタ挿入ユニット
をさらに備える、項目３９に記載の装置。
【図１】
0006541281.tif 000002
【図２Ａ】
0006541281.tif 000003
【図２Ｂ】
0006541281.tif 000004
【図２Ｃ】
0006541281.tif 000005
【図２Ｄ】
0006541281.tif 000006
【図２Ｅ】
0006541281.tif 000007
【図２Ｆ】
0006541281.tif 000008
【図２Ｇ】
0006541281.tif 000009
【図３】
0006541281.tif 000010
【図４】
0006541281.tif 000011
【図５】
0006541281.tif 000012
【図６】
0006541281.tif 000013
【図７】
0006541281.tif 000014
【図８】
0006541281.tif 000015
【図９】
0006541281.tif 000016
【図１０】
0006541281.tif 000017
【図１１】
0006541281.tif 000018
【図１２】
0006541281.tif 000019
【図１３】
0006541281.tif 000020